(57)【要約】  コンテンツ出力システム１Ａのサーバ装置３Ａは、表示装置２Ａのユーザ名と、要求コンテンツのタイトルと、が記録されたユーザパラメータ登録情報を取得して、画質音質最適パラメータが記録されている場合、この画質音質最適パラメータを本人のユーザ設定情報として取得する。本人のユーザ設定情報を取得できない場合、他人のユーザ名と、要求コンテンツのタイトルと、が記録されたユーザパラメータ登録情報を検索し、このユーザパラメータ登録情報に画質音質最適パラメータが記録され、かつ、他コンテンツに関する画質音質最適パラメータと、画質音質最適パラメータを要求するユーザの他コンテンツに関する画質音質最適パラメータと、が一致する場合、要求コンテンツに関する他人の画質音質最適パラメータを、他人のユーザ設定情報として取得する。そして、本人または他人のユーザ設定情報を、表示装置２Ａへ送信する。
2008117442.tif 000002
【特許請求の範囲】
【請求項１】
コンテンツデータに基づき出力手段で出力されるコンテンツの出力形態を表すコンテンツ設定値に関するコンテンツ設定値情報を取得して、前記出力形態を制御する出力形態制御手段へ送信するコンテンツ設定値情報取得装置であって、
前記出力手段で出力されるコンテンツに関する要求情報を取得する要求情報取得手段と、
所定の出力手段のユーザに関連付けられ前記コンテンツおよびこのコンテンツの出力形態に関する情報を有する出力形態登録情報を格納する出力形態登録情報格納手段から、前記出力手段のユーザに関連付けられ前記コンテンツに関する情報が前記要求情報と一致する前記出力形態登録情報を取得する本人情報取得処理手段と、
前記コンテンツに関する情報が前記要求情報と一致せず前記出力手段のユーザおよび他の前記出力手段のユーザにそれぞれ関連付けられた前記出力形態登録情報の前記出力形態に関する情報が略一致することを認識すると、前記他の出力手段のユーザに関連付けられ前記コンテンツに関する情報が前記要求情報と一致する前記出力形態登録情報を取得する他人情報取得処理手段と、
前記本人情報取得処理手段または前記他人情報取得処理手段で取得された前記出力形態登録情報に基づいて、前記コンテンツ設定値情報を生成するコンテンツ設定値情報生成手段と、
このコンテンツ設定値情報生成手段で生成された前記コンテンツ設定値情報を、前記要求情報に対応する前記出力形態制御手段へ送信するコンテンツ設定値情報送信手段と、
を具備したことを特徴としたコンテンツ設定値情報取得装置。
【請求項２】
請求項１に記載のコンテンツ設定値情報取得装置であって、
前記要求情報および前記出力形態登録情報は、前記コンテンツの内容を階層的に表す情報を有し、
前記本人情報取得処理手段は、前記出力手段のユーザに関連付けられ前記出力形態登録情報の前記コンテンツの内容を表す階層の全てが前記要求情報と一致する前記出力形態登録情報が存在しない場合、前記出力手段のユーザに関連付けられ前記出力形態登録情報の最も上位の階層を含む所定の階層が前記要求情報と一致する前記出力形態登録情報を取得する
ことを特徴としたコンテンツ設定値情報取得装置。
【請求項３】
請求項２に記載のコンテンツ設定値情報取得装置であって、
前記本人情報取得処理手段は、前記出力形態登録情報の最も上位の階層を含む所定の階層が前記要求情報と一致する前記出力形態登録情報のうち、前記最も下位の階層が前記要求情報と一致する前記出力形態登録情報を取得する
ことを特徴としたコンテンツ設定値情報取得装置。
【請求項４】
請求項１ないし請求項３のいずれかに記載のコンテンツ設定値情報取得装置であって、
前記コンテンツ設定値情報生成手段は、前記本人情報取得処理手段および前記他人情報取得処理手段で前記コンテンツ設定値情報に基づいて前記コンテンツ設定値情報を生成しない場合、前記コンテンツに対してあらかじめ設定された前記コンテンツ設定値に関する前記コンテンツ設定値情報を生成する
ことを特徴としたコンテンツ設定値情報取得装置。
【請求項５】
請求項１ないし請求項４のいずれかに記載のコンテンツ設定値情報取得装置であって、
前記出力手段は、画像を表示する表示手段を備え、
前記コンテンツデータは、前記コンテンツとして前記表示手段で画像を表示させる画像データを備えた
ことを特徴としたコンテンツ設定値情報取得装置。
【請求項６】
請求項１ないし請求項５のいずれかに記載のコンテンツ設定値情報取得装置であって、
前記出力手段は、音声を出力する音声出力手段を備え、
前記コンテンツデータは、前記コンテンツとして前記音声出力手段から音声を出力させる音声データを備えた
ことを特徴としたコンテンツ設定値情報取得装置。
【請求項７】
請求項１ないし請求項６のいずれかに記載のコンテンツ設定値情報取得装置であって、
前記出力形態登録情報は、所定の前記出力手段の型式に関する情報を有し、
前記要求情報取得手段は、前記出力手段の型式に関する情報を有する前記要求情報を取得し、
前記他人情報取得処理手段は、前記要求情報と前記コンテンツに関する情報が一致せずかつ前記出力手段の型式に関する情報が一致する前記出力手段のユーザおよび他の前記出力手段のユーザにそれぞれ関連付けられた前記出力形態登録情報の前記出力形態に関する情報が略一致することを認識すると、前記他の出力手段のユーザに関連付けられ前記コンテンツに関する情報が前記要求情報と一致する前記出力形態登録情報を取得する
ことを特徴としたコンテンツ設定値情報取得装置。
【請求項８】
ネットワークを介して各種情報を送受信可能に接続され、請求項１ないし請求項７のいずれかに記載のコンテンツ設定値情報取得装置を有する複数の出力装置を具備し、
前記出力装置は、
前記出力手段と、
前記出力形態制御手段と、
前記出力手段のユーザに関連付けられた前記出力形態登録情報が格納された前記出力形態登録情報格納手段と、
を備え、
前記本人情報取得処理手段は、前記出力形態登録情報格納手段から前記出力形態登録情報を取得し、
前記他人情報取得処理手段は、他の前記出力装置の前記出力形態登録情報格納手段から前記出力形態登録情報を取得する
ことを特徴としたコンテンツ出力システム。
【請求項９】
請求項１ないし請求項７のいずれかに記載のコンテンツ設定値情報取得装置と、
このコンテンツ設定値情報取得装置にネットワークを介して各種情報を送受信可能に接続された複数の出力装置と、
を具備し、
前記出力装置は、
前記出力手段と、
前記出力形態制御手段と、
前記ネットワークを介して、前記要求情報を前記コンテンツ設定値情報取得装置へ送信する要求情報送信手段と、
を備え、
前記コンテンツ設定値情報取得装置は、前記複数の出力装置のユーザにそれぞれ関連付けられた前記出力形態登録情報が格納された前記出力形態登録情報格納手段を備え、
前記コンテンツ設定値情報送信手段は、前記ネットワークを介して、前記要求情報を送信した前記出力装置へ前記コンテンツ設定値情報を送信する
ことを特徴としたコンテンツ出力システム。
【請求項１０】
請求項９に記載のコンテンツ出力システムであって、
前記出力装置は、
ユーザにより設定入力された前記コンテンツ設定値に関するユーザ設定入力値情報を、前記ネットワークを介して、前記コンテンツ設定値情報取得装置へ送信するユーザ設定入力値情報送信手段を備え、
前記コンテンツ設定値情報取得装置は、
前記ユーザ設定入力値情報を送信した前記出力装置のユーザに関連付けられ前記コンテンツに関する情報が前記要求情報と一致する前記出力形態登録情報の前記出力形態に関する情報を前記ユーザ設定入力値情報の内容に更新する更新手段を備えた
ことを特徴としたコンテンツ出力システム。
【請求項１１】
請求項１ないし請求項６のいずれかに記載のコンテンツ設定値情報取得装置と、
このコンテンツ設定値情報取得装置にネットワークを介して各種情報を送受信可能に接続された複数の出力装置と、
を具備し、
前記出力装置は、
前記出力手段と、
前記出力形態制御手段と、
前記ネットワークを介して、前記出力手段の型式に関する情報を有する前記要求情報を前記コンテンツ設定値情報取得装置へ送信する要求情報送信手段と、
を備え、
前記コンテンツ設定値情報取得装置は、
前記複数の出力装置のユーザにそれぞれ関連付けられ前記出力形態に関する情報として前記コンテンツ設定値を登録変換式に基づき変換したコンテンツ変換値に関する情報を有する前記出力形態登録情報が格納された前記出力形態登録情報格納手段と、
前記コンテンツ変換値を前記コンテンツ設定値に変換する出力変換式および所定の前記出力手段の型式に関する情報を有する出力変換情報を格納する出力変換情報格納手段と、
を備え、
前記コンテンツ設定値情報生成手段は、前記出力手段の型式に関する情報が前記要求情報と一致する前記出力変換情報の前記出力変換式、および、前記出力形態登録情報の前記コンテンツ変換値に基づいて、前記コンテンツ設定値情報を生成し、
前記コンテンツ設定値情報送信手段は、前記ネットワークを介して、前記要求情報を送信した前記出力装置へ前記コンテンツ設定値情報を送信する
ことを特徴としたコンテンツ出力システム。
【請求項１２】
請求項１１に記載のコンテンツ出力システムであって、
前記出力装置は、
ユーザにより設定入力された前記コンテンツ設定値に関するユーザ設定入力値情報を、前記ネットワークを介して、前記コンテンツ設定値情報取得装置へ送信するユーザ設定入力値情報送信手段を備え、
前記コンテンツ設定値情報取得装置は、
前記登録変換式および所定の前記出力手段の型式に関する情報を有する登録変換情報を格納する登録変換情報格納手段と、
前記出力手段の型式に関する情報が前記要求情報と一致する前記登録変換情報の前記登録変換式に基づいて、前記ユーザ設定入力値情報の前記コンテンツ設定値を前記コンテンツ変換値に変換する変換手段と、
前記ユーザ設定入力値情報を送信した前記出力装置のユーザに関連付けられ前記コンテンツに関する情報が前記要求情報と一致する前記出力形態登録情報の前記コンテンツ変換値を、前記変換手段で変換された前記コンテンツ変換値に更新する更新手段と、
を備えた
ことを特徴としたコンテンツ出力システム。
【請求項１３】
請求項１１または請求項１２に記載のコンテンツ出力システムであって、
前記登録変換式および前記出力変換式は、前記出力手段の使用期間に応じて設定された
ことを特徴としたコンテンツ出力システム。
【請求項１４】
請求項１１ないし請求項１３のいずれかに記載のコンテンツ出力システムであって、
前記コンテンツ設定値情報生成手段は、前記コンテンツに関する情報が前記要求情報と一致する前記出力形態登録情報の前記コンテンツ変換値を統計処理した統計処理値、および、前記出力手段の型式に関する情報が前記要求情報と一致する前記出力変換情報の前記出力変換式に基づいて、前記統計処理された前記コンテンツ設定値に関する前記コンテンツ設定値情報を生成する
ことを特徴としたコンテンツ出力システム。
【請求項１５】
請求項１４に記載のコンテンツ出力システムであって、
前記統計処理値は、平均値である
ことを特徴としたコンテンツ出力システム。
【請求項１６】
請求項１４または請求項１５に記載のコンテンツ出力システムであって、
前記統計処理値は、中央値である
ことを特徴としたコンテンツ出力システム。
【請求項１７】
請求項１４ないし請求項１６のいずれかに記載のコンテンツ出力システムであって、
前記統計処理値は、所定度数の前記コンテンツ変換値である
ことを特徴としたコンテンツ出力システム。
【請求項１８】
演算手段により、コンテンツデータに基づき出力手段で出力されるコンテンツの出力形態を表すコンテンツ設定値に関するコンテンツ設定値情報を取得して、前記出力形態を制御する出力形態制御手段へ送信するコンテンツ設定値情報取得方法であって、
前記演算手段は、
前記出力手段で出力されるコンテンツに関する要求情報を取得し、
所定の出力手段のユーザに関連付けられ前記コンテンツおよびこのコンテンツの出力形態に関する情報を有する出力形態登録情報を格納する出力形態登録情報格納手段から、前記出力手段のユーザに関連付けられ前記コンテンツに関する情報が前記要求情報と一致する前記出力形態登録情報を取得し、
前記コンテンツに関する情報が前記要求情報と一致せず前記出力手段のユーザおよび他の前記出力手段のユーザにそれぞれ関連付けられた前記出力形態登録情報の前記出力形態に関する情報が略一致することを認識すると、前記他の出力手段のユーザに関連付けられ前記コンテンツに関する情報が前記要求情報と一致する前記出力形態登録情報を取得し、
前記取得された前記出力手段または前記他の出力手段のユーザに関連付けられた前記出力形態登録情報に基づいて、前記コンテンツ設定値情報を生成し、
この生成された前記コンテンツ設定値情報を、前記要求情報に対応する前記出力形態制御手段へ送信する
ことを特徴とするコンテンツ設定値情報取得方法。
【請求項１９】
請求項１８に記載のコンテンツ設定値情報取得方法を演算手段に実行させる
ことを特徴としたコンテンツ設定値情報取得プログラム。
【請求項２０】
演算手段を請求項１ないし請求項７のいずれかに記載のコンテンツ設定値情報取得装置として機能させる
ことを特徴としたコンテンツ設定値情報取得プログラム。
【請求項２１】
請求項１９または請求項２０に記載のコンテンツ設定値情報取得プログラムが演算手段にて読取可能に記録された
ことを特徴としたコンテンツ設定値情報取得プログラムを記録した記録媒体。
【発明の詳細な説明】
【技術分野】
【０００１】
本発明は、コンテンツデータに基づき出力手段で出力されるコンテンツの出力形態を表すコンテンツ設定値に関するコンテンツ設定値情報を取得して、出力形態を制御する出力形態制御手段へ送信するコンテンツ設定値情報取得装置、コンテンツ出力システム、コンテンツ設定値情報取得方法、そのプログラム、および、そのプログラムを記録した記録媒体に関する。
【背景技術】
【０００２】
従来、表示手段で表示される画像の画質や、音声出力手段で出力される音声の音質を適宜調整する構成が知られている（例えば、特許文献１および特許文献２参照）。【０００３】
特許文献１に記載のものは、ユーザの設定入力に基づいて、再生対象となる番組のジャンル情報ごとに再生時の画質や音質のパラメータ設定値を記録する。そして、再生時に、このパラメータ設定値に基づく画質の画像や音質の音声を出力させる構成が採られている。【０００４】
特許文献２に記載のものは、プロジェクタ、スクリーン、劇場の特性に合う変換テーブルをダウンロードして、映画監督の趣旨に合う状態で画質を調整する構成が採られている。【０００５】
【特許文献１】特開２００５−３０２１１９号公報
【特許文献２】米国特許第６７７１３２３号公報
【発明の開示】
【発明が解決しようとする課題】
【０００６】
しかしながら、特許文献１のような構成では、新たなコンテンツの視聴のたびに、ユーザが自らパラメータ設定値を設定する必要があり、この作業が煩わしくなるおそれがある。また、特許文献２のような構成では、映画監督の趣旨に合う状態で画質が調整されるため、観客の好みに合う画像が表示されないおそれがある。【０００７】
本発明の目的は、複雑な操作をさせることなく嗜好に合う出力形態のコンテンツを出力可能なコンテンツ設定値情報取得装置、コンテンツ出力システム、コンテンツ設定値情報取得方法、そのプログラム、および、そのプログラムを記録した記録媒体を提供することである。
【課題を解決するための手段】
【０００８】
本発明のコンテンツ設定値情報取得装置は、コンテンツデータに基づき出力手段で出力されるコンテンツの出力形態を表すコンテンツ設定値に関するコンテンツ設定値情報を取得して、前記出力形態を制御する出力形態制御手段へ送信するコンテンツ設定値情報取得装置であって、前記出力手段で出力されるコンテンツに関する要求情報を取得する要求情報取得手段と、所定の出力手段のユーザに関連付けられ前記コンテンツおよびこのコンテンツの出力形態に関する情報を有する出力形態登録情報を格納する出力形態登録情報格納手段から、前記出力手段のユーザに関連付けられ前記コンテンツに関する情報が前記要求情報と一致する前記出力形態登録情報を取得する本人情報取得処理手段と、前記コンテンツに関する情報が前記要求情報と一致せず前記出力手段のユーザおよび他の前記出力手段のユーザにそれぞれ関連付けられた前記出力形態登録情報の前記出力形態に関する情報が略一致することを認識すると、前記他の出力手段のユーザに関連付けられ前記コンテンツに関する情報が前記要求情報と一致する前記出力形態登録情報を取得する他人情報取得処理手段と、前記本人情報取得処理手段または前記他人情報取得処理手段で取得された前記出力形態登録情報に基づいて、前記コンテンツ設定値情報を生成するコンテンツ設定値情報生成手段と、このコンテンツ設定値情報生成手段で生成された前記コンテンツ設定値情報を、前記要求情報に対応する前記出力形態制御手段へ送信するコンテンツ設定値情報送信手段と、を具備したことを特徴とする。【０００９】
本発明のコンテンツ出力システムは、ネットワークを介して各種情報を送受信可能に接続され、上述したコンテンツ設定値情報取得装置を有する複数の出力装置を具備し、前記出力装置は、前記出力手段と、前記出力形態制御手段と、前記出力手段のユーザに関連付けられた前記出力形態登録情報が格納された前記出力形態登録情報格納手段と、を備え、前記本人情報取得処理手段は、前記出力形態登録情報格納手段から前記出力形態登録情報を取得し、前記他人情報取得処理手段は、他の前記出力装置の前記出力形態登録情報格納手段から前記出力形態登録情報を取得することを特徴とする。【００１０】
本発明のコンテンツ出力システムは、上述したコンテンツ設定値情報取得装置と、このコンテンツ設定値情報取得装置にネットワークを介して各種情報を送受信可能に接続された複数の出力装置と、を具備し、前記出力装置は、前記出力手段と、前記出力形態制御手段と、前記ネットワークを介して、前記要求情報を前記コンテンツ設定値情報取得装置へ送信する要求情報送信手段と、を備え、前記コンテンツ設定値情報取得装置は、前記複数の出力装置のユーザにそれぞれ関連付けられた前記出力形態登録情報が格納された前記出力形態登録情報格納手段を備え、前記コンテンツ設定値情報送信手段は、前記ネットワークを介して、前記要求情報を送信した前記出力装置へ前記コンテンツ設定値情報を送信することを特徴とする。【００１１】
本発明のコンテンツ出力システムは、上述したコンテンツ設定値情報取得装置と、このコンテンツ設定値情報取得装置にネットワークを介して各種情報を送受信可能に接続された複数の出力装置と、を具備し、前記出力装置は、前記出力手段と、前記出力形態制御手段と、前記ネットワークを介して、前記出力手段の型式に関する情報を有する前記要求情報を前記コンテンツ設定値情報取得装置へ送信する要求情報送信手段と、を備え、前記コンテンツ設定値情報取得装置は、前記複数の出力装置のユーザにそれぞれ関連付けられ前記出力形態に関する情報として前記コンテンツ設定値を登録変換式に基づき変換したコンテンツ変換値に関する情報を有する前記出力形態登録情報が格納された前記出力形態登録情報格納手段と、前記コンテンツ変換値を前記コンテンツ設定値に変換する出力変換式および所定の前記出力手段の型式に関する情報を有する出力変換情報を格納する出力変換情報格納手段と、を備え、前記コンテンツ設定値情報生成手段は、前記出力手段の型式に関する情報が前記要求情報と一致する前記出力変換情報の前記出力変換式、および、前記出力形態登録情報の前記コンテンツ変換値に基づいて、前記コンテンツ設定値情報を生成し、前記コンテンツ設定値情報送信手段は、前記ネットワークを介して、前記要求情報を送信した前記出力装置へ前記コンテンツ設定値情報を送信することを特徴とする。【００１２】
本発明のコンテンツ設定値情報取得方法は、演算手段により、コンテンツデータに基づき出力手段で出力されるコンテンツの出力形態を表すコンテンツ設定値に関するコンテンツ設定値情報を取得して、前記出力形態を制御する出力形態制御手段へ送信するコンテンツ設定値情報取得方法であって、前記演算手段は、前記出力手段で出力されるコンテンツに関する要求情報を取得し、所定の出力手段のユーザに関連付けられ前記コンテンツおよびこのコンテンツの出力形態に関する情報を有する出力形態登録情報を格納する出力形態登録情報格納手段から、前記出力手段のユーザに関連付けられ前記コンテンツに関する情報が前記要求情報と一致する前記出力形態登録情報を取得し、前記コンテンツに関する情報が前記要求情報と一致せず前記出力手段のユーザおよび他の前記出力手段のユーザにそれぞれ関連付けられた前記出力形態登録情報の前記出力形態に関する情報が略一致することを認識すると、前記他の出力手段のユーザに関連付けられ前記コンテンツに関する情報が前記要求情報と一致する前記出力形態登録情報を取得し、前記取得された前記出力手段または前記他の出力手段のユーザに関連付けられた前記出力形態登録情報に基づいて、前記コンテンツ設定値情報を生成し、この生成された前記コンテンツ設定値情報を、前記要求情報に対応する前記出力形態制御手段へ送信することを特徴とする。【００１３】
本発明のコンテンツ設定値情報取得プログラムは、上述したコンテンツ設定値情報取得方法を演算手段に実行させることを特徴とする。【００１４】
本発明のコンテンツ設定値情報取得プログラムは、演算手段を上述したコンテンツ設定値情報取得装置として機能させることを特徴とする。【００１５】
本発明のコンテンツ設定値情報取得プログラムを記録した記録媒体は、上述したコンテンツ設定値情報取得プログラムが演算手段にて読取可能に記録されたことを特徴とする。
【図面の簡単な説明】
【００１６】
【図１】本発明の第１〜第４実施形態に係るコンテンツ出力システムの概略構成を示すブロック図である。
【図２】前記第１〜第４実施形態における表示装置の概略構成を示すブロック図である。
【図３】前記第１，第２実施形態におけるサーバ装置の概略構成を示すブロック図である。
【図４】前記第１実施形態におけるユーザデータベースの概略構成を示す模式図である。
【図５】前記第１〜第４実施形態、および、本発明の第５実施形態に係る画質音質調整処理を示すフローチャートである。
【図６】前記第１，第２，第５実施形態における画質音質最適パラメータ取得処理を示すフローチャートである。
【図７】前記第１〜第３，第５実施形態におけるユーザ設定情報取得処理を示すフローチャートである。
【図８】前記第１，第５実施形態における本人のユーザ設定情報取得処理を示すフローチャートである。
【図９】前記第１，第２実施形態における他人のユーザ設定情報取得処理を示すフローチャートである。
【図１０】前記第２実施形態におけるユーザデータベースの概略構成を示す模式図である。
【図１１】前記第２〜第４実施形態における本人のユーザ設定情報取得処理を示すフローチャートである。
【図１２】前記第３，第４実施形態におけるサーバ装置の概略構成を示すブロック図である。
【図１３】前記第３実施形態におけるユーザデータベースの概略構成を示す模式図である。
【図１４】前記第３，第４実施形態における出力変換情報データベースの概略構成を示す模式図である。
【図１５】前記第３，第４実施形態における登録変換情報データベースの概略構成を示す模式図である。
【図１６】前記第３，第４実施形態における第１ＮＲ変換テーブルの概略構成を示す模式図である。
【図１７】前記第３，第４実施形態における第２ＮＲ変換テーブルの概略構成を示す模式図である。
【図１８】前記第３，第４実施形態における画質音質最適パラメータ取得処理を示すフローチャートである。
【図１９】前記第３実施形態における他人のユーザ設定情報取得処理を示すフローチャートである。
【図２０】前記第４実施形態におけるユーザ関連情報データベースの概略構成を示す模式図である。
【図２１】前記第４実施形態におけるユーザデータベースの概略構成を示す模式図である。
【図２２】前記第４実施形態における統計データベースの概略構成を示す模式図である。
【図２３】前記第４実施形態における統計データベースの概略構成を示す模式図である。
【図２４】前記第４実施形態におけるユーザ設定情報取得処理を示すフローチャートである。
【図２５】前記第４実施形態における他人のユーザ設定情報取得処理を示すフローチャートである。
【図２６】前記第４実施形態における統計データに基づくユーザ設定情報取得処理を示すフローチャートである。
【図２７】前記第５実施形態におけるコンテンツ出力システムの概略構成を示すブロック図である。
【図２８】前記第５実施形態における表示装置の概略構成を示すブロック図である。
【図２９】前記第５実施形態におけるユーザデータベースの概略構成を示す模式図である。
【図３０】前記第５実施形態における他人のユーザ設定情報取得処理を示すフローチャートである。
【符号の説明】
【００１７】
１Ａ，１Ｂ，１Ｃ，１Ｄ，１Ｅ…コンテンツ出力システム
２Ａ，２Ｃ，２Ｄ，２Ｅ…出力装置としての表示装置
３Ａ，３Ｂ，３Ｃ，３Ｄ…コンテンツ設定値情報取得装置としてのサーバ装置
１２０…出力手段を構成する表示手段
１３０…出力手段を構成する音声出力手段
１７２，４７２，６７２，８８２…要求情報送信手段としてのパラメータ要求情報取得部
１７３…ユーザ設定値情報送信手段としての修正設定部
１７４，８８６…出力形態制御手段としての映像音声制御部
２２０，３２０，８７０…出力形態登録情報格納手段としての画質音質データベース
２２１Ａ，３２１Ａ，５２１Ａ，７２２Ａ，８７１Ａ…出力形態登録情報としてのユーザパラメータ登録情報
２３０，３３０，５３０，７３０…演算手段としてのサーバ処理部
２３１，３３１，８８３…要求情報取得手段、コンテンツ設定値情報生成手段、および、コンテンツ設定値情報送信手段としても機能する本人情報取得処理手段および他人情報取得処理手段としてのユーザ設定情報取得部
２３２，３３２，５３３，７３３…更新手段としてのデータベース更新部
５２０，７２０…出力形態登録情報格納手段、出力変換情報格納手段、および、登録変換情報格納手段としての画質音質データベース
５２２Ａ…出力変換情報
５２３Ａ…登録変換情報
５３１，７３１…要求情報取得手段としても機能する本人情報取得処理手段および他人情報取得処理手段としてのユーザ設定情報取得部
５３２…コンテンツ設定値情報生成手段およびコンテンツ設定値情報送信手段としての機器間変換処理部
８８０…コンテンツ設定値情報取得装置および演算手段としての自動設定部
Ｎ…ネットワーク
【発明を実施するための最良の形態】
【００１８】
［第１実施形態］
以下、本発明に係る第１実施形態を図面に基づいて説明する。
この第１実施形態では、本発明のコンテンツ設定値情報取得装置を備えたコンテンツ出力システムであって、コンテンツごとに適宜異なるユーザの嗜好に応じて出力形態としての画質や出力形態としての音質を調整する構成を例示して説明する。具体的には、画像のコントラストや音声の出力レベルを調整する構成を例示して説明する。
なお、画像としては、静止画、動画のいずれを対象としてもよい。また、音声の調整項目としては、出力レベルに限らず、周波数特性、音質レベル、音声の遅延などとしてもよい。
図１は、コンテンツ出力システムの概略構成を示すブロック図である。図２は、表示装置の概略構成を示すブロック図である。図３は、サーバ装置の概略構成を示すブロック図である。図４は、ユーザデータベースの概略構成を示す模式図である。【００１９】
〔コンテンツ出力システムの構成〕
図１において、１Ａはコンテンツ出力システムである。
このコンテンツ出力システム１Ａは、ネットワークＮと、少なくとも１個の出力装置としての表示装置２Ａと、コンテンツ設定値情報取得装置としてのサーバ装置３Ａと、ＰＣ（Personal computer）４と、ＥＷＳ（Engineering Work Station）５と、電子レンジ６と、などを備えている。【００２０】
ネットワークＮには、表示装置２Ａ、サーバ装置３Ａ、ＰＣ４、ＥＷＳ５と、電子レンジ６が接続されている。このネットワークＮとしては、インターネット、イントラネット、ＬＡＮ(Local Area Network)、無線媒体により情報が送受信可能な複数の基地局がネットワークを構成する通信回線網や放送網などのネットワーク、さらには、表示装置２Ａ、サーバ装置３Ａ、ＰＣ４、ＥＷＳ５と、電子レンジ６間で情報を直接送受信するための媒体となる有線媒体自体や無線媒体自体などが例示できる。【００２１】
表示装置２Ａは、図２に示すように、機器側送受信部１１０と、出力手段を構成する表示手段１２０と、出力手段を構成する音声出力手段１３０と、入力手段１４０と、ドライブ装置１５０と、メモリ１６０と、自動設定部１７０と、などを備えている。【００２２】
機器側送受信部１１０は、ネットワークＮに接続され、サーバ装置３Ａとの各種情報の送受信を実施する。
具体的には、機器側送受信部１１０は、サーバ装置３Ａから送信される各種情報を受信して自動設定部１７０へ適宜出力し、自動設定部１７０から取得した各種情報をサーバ装置３Ａへ適宜送信する。【００２３】
表示手段１２０は、自動設定部１７０に接続されている。
この表示手段１２０は、自動設定部１７０にて制御され自動設定部１７０からの画質調整画像データに基づく画質調整画像を画面表示させる。この表示手段１２０としては、例えば液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。【００２４】
音声出力手段１３０は、図示しないスピーカを有している。この音声出力手段１３０は、自動設定部１７０に接続されている。
この音声出力手段１３０は、自動設定部１７０にて制御され自動設定部１７０からの音質調整音声データに基づく音質調整音声をスピーカから出力する。【００２５】
入力手段１４０は、自動設定部１７０に接続されている。この入力手段１４０は、図示しない各種操作ボタンや操作つまみなどを有している。
そして、入力手段１４０は、例えば表示装置２Ａの動作内容の設定などの設定事項の入力操作により、各種情報を自動設定部１７０へ出力して設定させる。
なお、入力手段１４０としては、例えば表示手段１２０に設けられたタッチパネルによる入力操作や音声による入力操作、さらにはリモートコントローラによる入力操作など、各種設定事項を設定入力可能ないずれの構成が例示できる。【００２６】
ドライブ装置１５０は、自動設定部１７０などに接続され、ＤＶＤ１５１が着脱可能に構成されている。
このドライブ装置１５０は、自動設定部１７０により制御され、ＤＶＤ１５１に記録された画像データおよび音声データを有するコンテンツデータを読み出して、自動設定部１７０へ出力する。また、ＤＶＤ１５１に記録されたコンテンツに関するＴＯＣ（Table of Contents）データをＤＶＤ１５１から読み出して、自動設定部１７０へ出力する。【００２７】
メモリ１６０は、自動設定部１７０に接続されている。
このメモリ１６０には、表示装置２Ａのユーザ固有の情報である名称に関するユーザ情報１６１と、表示装置２Ａのメーカおよび型式に関する機器構成情報１６２と、などが適宜読み出し可能に記憶されている。【００２８】
自動設定部１７０は、各種プログラムにより構成され、コンテンツ抽出部１７１と、要求情報送信手段としてのパラメータ要求情報取得部１７２と、ユーザ設定入力値情報送信手段としての修正設定部１７３と、出力形態制御手段としての映像音声制御部１７４と、などを備えている。【００２９】
コンテンツ抽出部１７１は、ドライブ装置１５０と、パラメータ要求情報取得部１７２と、映像音声制御部１７４と、などに接続されている。
このコンテンツ抽出部１７１は、ドライブ装置１５０で読み出されたコンテンツデータおよびＴＯＣデータを取得する。そして、コンテンツデータを抽出して映像音声制御部１７４へ出力し、ＴＯＣデータをパラメータ要求情報取得部１７２へ出力する。
また、コンテンツ抽出部１７１には、放送波を受信するアンテナＡが接続されている。
そして、コンテンツ抽出部１７１は、アンテナＡで受信された放送波を利用して送信されたコンテンツデータ、メタデータ、ＥＰＧ（Electric Program Guide）データなどを取得する。そして、コンテンツデータを抽出して映像音声制御部１７４へ出力し、コンテンツに関するメタデータやＥＰＧデータをパラメータ要求情報取得部１７２へ出力する。【００３０】
パラメータ要求情報取得部１７２は、機器側送受信部１１０と、入力手段１４０と、メモリ１６０と、などに接続されている。
このパラメータ要求情報取得部１７２は、コンテンツ抽出部１７１にてＤＶＤ１５１からのコンテンツデータが抽出された場合、コンテンツ抽出部１７１からＴＯＣデータをコンテンツ情報として取得する。また、コンテンツ抽出部１７１にて放送波で送信されたコンテンツデータが抽出された場合、コンテンツ抽出部１７１からメタデータやＥＰＧデータをコンテンツ情報として取得する。さらに、メモリ１６０からユーザ情報１６１と、機器構成情報１６２と、を取得する。そして、機器側送受信部１１０を制御して、コンテンツ情報と、ユーザ情報１６１と、機器構成情報１６２と、を要求情報としてのパラメータ要求情報として、ネットワークＮを介してサーバ装置３Ａへ送信する。【００３１】
修正設定部１７３は、機器側送受信部１１０と、入力手段１４０と、映像音声制御部１７４と、などに接続されている。
この修正設定部１７３は、入力手段１４０による入力操作に基づいて、ユーザにより修正設定されたコントラスト設定値と、音声出力レベル設定値と、を認識する。
ここで、以下において、この修正設定されたコントラスト設定値および音声出力レベル設定値をまとめて表現する際には、ユーザ設定入力値情報としての修正画質音質パラメータと適宜表現する。
そして、この修正画質音質パラメータを映像音声制御部１７４へ出力する。さらに、この修正画質音質パラメータをサーバ装置３Ａに登録することを認識すると、機器側送受信部１１０を制御して、ネットワークＮを介してサーバ装置３Ａへ送信する。さらに、パラメータ要求情報取得部１７２を制御して、パラメータ要求情報をサーバ装置３Ａへ送信させる。【００３２】
映像音声制御部１７４は、機器側送受信部１１０と、表示手段１２０と、音声出力手段１３０と、などに接続されている。
この映像音声制御部１７４は、コンテンツ抽出部１７１からコンテンツデータを取得する。さらに、ネットワークＮおよび機器側送受信部１１０を介して、サーバ装置３Ａからパラメータ要求情報に対応して送信されたコンテンツ設定値情報としての画質音質最適パラメータを取得する。この画質音質最適パラメータは、ユーザの嗜好に応じたコントラストを再現するためのコントラスト設定値と、音声の出力レベルを再現するための音声出力レベル設定値と、から構成されている。
そして、映像音声制御部１７４は、画像データをコントラスト設定値に基づき調整した画質調整画像データを生成し、コントラストが調整された画質調整画像を表示手段１２０で表示させる制御をする。さらに、音声データを音声出力レベル設定値に基づき調整した音質調整音声データを生成し、音声の出力レベルが調整された音質調整音声を音声出力手段１３０で出力させる制御をする。
また、映像音声制御部１７４は、修正設定部１７３から修正画質音質パラメータを適宜取得して、これに基づき修正設定された画質調整画像の表示制御や、音質調整音声の出力制御をする。【００３３】
サーバ装置３Ａは、図３に示すように、サーバ側送受信部２１０と、出力形態登録情報格納手段としての画質音質データベース２２０と、演算手段としてのサーバ処理部２３０と、などを備えている。【００３４】
サーバ側送受信部２１０は、ネットワークＮに接続され、表示装置２Ａとの各種情報の送受信を実施する。
具体的には、サーバ側送受信部２１０は、所定の表示装置２Ａから送信される各種情報を受信してサーバ処理部２３０へ適宜出力し、サーバ処理部２３０から取得した各種情報を所定の表示装置２Ａへ適宜送信する。【００３５】
画質音質データベース２２０は、図４に示すようなユーザデータベース２２１を格納している。【００３６】
ユーザデータベース２２１は、サーバ処理部２３０により適宜更新される。
そして、ユーザデータベース２２１は、各表示装置２Ａのユーザによりコンテンツごとに設定された好みの画質や音質に関する情報が記録される少なくとも１個の出力形態登録情報としてのユーザパラメータ登録情報２２１Ａにより構成されている。
このユーザパラメータ登録情報２２１Ａは、登録者名情報２２１Ｂと、ユーザ機器名情報２２１Ｃと、要求コンテンツ情報２２１Ｄと、画質設定値情報２２１Ｅと、音質設定値情報２２１Ｆと、などを備えている。【００３７】
登録者名情報２２１Ｂは、ユーザを特定する情報である。
ユーザ機器名情報２２１Ｃは、ユーザが利用している表示装置２Ａのメーカおよび型式を特定する情報である。
要求コンテンツ情報２２１Ｄは、ユーザからのコンテンツ情報で特定されるコンテンツを特定する情報としてのコンテンツのタイトルを表す情報である。
画質設定値情報２２１Ｅは、表示装置２Ａで設定される画質の設定値としてのコントラスト設定値を表す情報である。
音質設定値情報２２１Ｆは、表示装置２Ａで設定される音質の設定値としての音声出力レベル設定値を表す情報である。
すなわち、ユーザパラメータ登録情報２２１Ａは、コンテンツと、表示装置２Ａと、出力形態に関する画質音質最適パラメータと、などに関する情報により構成されている。
なお、この図４に示す画質設定値情報２２１Ｅとして、コントラスト設定値のみが記録された構成を例示しているが、通常は、複数の画質に関する設定値、例えばコントラスト、ブライトネス、カラー、シャープネスなどの設定値が記録される。このように、複数の画質の設定値を記録することにより、より好みの画質設定を可能にするだけでなく、本人と嗜好が似ている他人の後述するユーザ設定情報を取得する際の精度向上にもつなげることが可能となる。なお、音質設定値情報２２１Ｆについても、同様に、通常は、複数の音質に関する設定値が記録される。【００３８】
サーバ処理部２３０は、各種プログラムにより構成され、図３に示すように、要求情報取得手段、コンテンツ設定値情報生成手段、および、コンテンツ設定値情報送信手段としても機能する本人情報取得処理手段および他人情報取得処理手段としてのユーザ設定情報取得部２３１と、更新手段としてのデータベース更新部２３２と、などを備えている。【００３９】
ユーザ設定情報取得部２３１は、サーバ側送受信部２１０と、画質音質データベース２２０と、などに接続されている。
このユーザ設定情報取得部２３１は、所定のユーザおよび視聴中のコンテンツに対応する画質音質最適パラメータをユーザ設定情報として取得する。【００４０】
具体的には、ユーザ設定情報取得部２３１は、サーバ側送受信部２１０を介して、所定の表示装置２Ａから送信されたパラメータ要求情報のコンテンツ情報と、ユーザ情報１６１と、機器構成情報１６２と、を取得する。そして、コンテンツ情報がＴＯＣデータの場合、このＴＯＣデータをコンテンツの内容、例えばジャンル、シリーズ、タイトル、チャプタ、シーンなどに関するコンテンツ関連情報に変換する。また、コンテンツ情報がメタデータやＥＰＧデータの場合、これらに基づいてコンテンツ関連情報を認識する。ここで、以下において、コンテンツ関連情報で特定されるコンテンツを、要求コンテンツと適宜称す。
そして、ユーザ設定情報取得部２３１は、パラメータ要求情報を送信した表示装置２Ａのユーザ本人のユーザ設定情報を取得する。
すなわち、ユーザ設定情報取得部２３１は、ユーザ情報１６１のユーザ名が記録され、かつ、要求コンテンツのタイトルが記録されたユーザパラメータ登録情報２２１Ａ、つまりユーザ名が記録され、かつ、要求コンテンツに関するユーザパラメータ登録情報２２１Ａを検索する。さらに、この検索したユーザパラメータ登録情報２２１Ａに画質音質最適パラメータが記録されている場合、この画質音質最適パラメータを本人のユーザ設定情報として取得する。【００４１】
また、ユーザ設定情報取得部２３１は、本人のユーザ設定情報を取得できない場合、この本人と嗜好が似ている他人のユーザ設定情報を取得する。
すなわち、ユーザ設定情報取得部２３１は、他人のユーザ名と、機器構成情報１６２の内容と、要求コンテンツのタイトルと、が記録されたユーザパラメータ登録情報２２１Ａを検索する。さらに、この検索したユーザパラメータ登録情報２２１Ａに画質音質最適パラメータが記録されている場合、要求コンテンツ以外のコンテンツ（以下、他コンテンツと称す）に関する画質音質最適パラメータと、画質音質最適パラメータを要求するユーザの他コンテンツに関する画質音質最適パラメータと、が一致するか否かを判断する。つまり、コンテンツに関する情報がパラメータ要求情報の内容と一致せず、本人および他人に関連付けられた画質音質最適パラメータが一致するか否かを判断する。そして、一致する場合、要求コンテンツに関する他人の画質音質最適パラメータを、他人のユーザ設定情報として取得する。
なお、この他コンテンツの画質音質最適パラメータの一致性を判断する際、他コンテンツに関する全てのものが一致するか否かを判断してもよいし、一致するものの数に基づいて一致性を判断してもよい。
さらに、ユーザ設定情報取得部２３１は、本人のユーザ設定情報および他人のユーザ設定情報を取得できない場合、あらかじめ設定されたデフォルト値をユーザ設定情報として取得する。
そして、この取得したユーザ設定情報である画質音質最適パラメータを、ネットワークＮを介して、パラメータ要求情報に対応する表示装置２Ａへ送信する。【００４２】
なお、ユーザ設定情報取得部２３１にて、以下のような処理を実施する構成にしてもよい。
すなわち、本人のユーザ設定情報を取得できない場合に、複数の他人のユーザパラメータ登録情報２２１Ａを表示させて、本人に選択させてもよい。
ここで、他人のユーザパラメータ登録情報２２１Ａにおける設定としては、日本で人気のある設定や、アメリカで人気のある設定のような、特定のグループや機関が選定した設定なども含む。これらの他人のユーザパラメータ登録情報２２１Ａの登録は、コンテンツのジャンル別、シリーズ別、タイトル別にも登録可能である。
また、コンテンツが映画の場合、映画監督別、映画のプロデューサー別に他人のユーザパラメータ登録情報２２１Ａの登録を行うこともできる。さらに、コンテンツが映画の場合、その映画の監督の設定を他人のユーザパラメータ登録情報２２１Ａとして登録することもできる。
このような構成にすれば、いわゆる一般視聴者以外の、特定のグループや機関などの設定を他人のユーザ設定情報として取得することが可能となる。【００４３】
また、ユーザ設定情報取得部２３１にて、本人と嗜好が似ている他人のユーザ設定情報を選択する方法としては、以下のような方法としてもよい。
すなわち、例えば画質設定値情報２２１Ｅのパラメータとして、Ａ、Ｂ、Ｃ、Ｄの４つ（例えば、コントラスト、ブライト、カラー、シャープネス）を決めておき、それぞれのレベルが−５、−４、…、４、５のように１１種類の数値で表されるとすると、同じジャンルの他のタイトルについての本人と他人の画質設定値情報２２１Ｅについて、パラメータごとに差をとり、差の絶対値を積算し、その積算値が一定値以下のとき、嗜好が似ていると判断する構成としてもよい。あるいは、相関をとり、相関が所定以上のときに、嗜好が似ていると判断する構成としてもよい。【００４４】
データベース更新部２３２は、サーバ側送受信部２１０と、画質音質データベース２２０と、などに接続されている。
このデータベース更新部２３２は、所定のユーザのユーザパラメータ登録情報２２１Ａを更新する。【００４５】
具体的には、データベース更新部２３２は、サーバ側送受信部２１０を介して、所定の表示装置２Ａから送信された修正画質音質パラメータと、パラメータ要求情報と、を取得する。さらに、ユーザ情報１６１のユーザ名と、要求コンテンツのタイトルと、が記録されたユーザパラメータ登録情報２２１Ａを検索する。そして、この検索したユーザパラメータ登録情報２２１Ａの画質音質最適パラメータを、修正画質音質パラメータにそれぞれ更新する。【００４６】
〔コンテンツ出力システムの動作〕
次に、コンテンツ出力システム１Ａの動作について説明する。
図５は、画質音質調整処理を示すフローチャートである。図６は、画質音質最適パラメータ取得処理を示すフローチャートである。図７は、ユーザ設定情報取得処理を示すフローチャートである。図８は、本人のユーザ設定情報取得処理を示すフローチャートである。図９は、他人のユーザ設定情報取得処理を示すフローチャートである。【００４７】
まず、コンテンツ出力システム１Ａの所定の表示装置２Ａは、図５に示すように、ＤＶＤ１５１から読み出した、あるいは、放送波で受信中のコンテンツを出力する際に、パラメータ要求情報を取得して（ステップＳ１）、ネットワークＮを介してサーバ装置３Ａへ送信する（ステップＳ２）。
サーバ装置３Ａは、パラメータ要求情報を取得すると、画質音質最適パラメータを取得して（ステップＳ３）、ネットワークＮを介してパラメータ要求情報に対応する表示装置２Ａへ送信する（ステップＳ４）。
表示装置２Ａは、パラメータ要求情報に対応して送信された画質音質最適パラメータを取得して、映像音声制御部１７４へ送信する（ステップＳ５）。そして、映像音声制御部１７４は、この画質音質最適パラメータを設定して（ステップＳ６）、要求コンテンツおよびユーザの嗜好に応じて画質および音質を適宜調整したコンテンツを出力させる。【００４８】
この後、表示装置２Ａは、ユーザが画質音質最適パラメータの設定に不満があるか否かを判断する（ステップＳ７）。このステップＳ７において、不満がないと判断した場合、処理を終了する。一方、ステップＳ７において、不満があると判断した場合、ユーザの設定入力に基づく修正画質音質パラメータを設定して（ステップＳ８）、画質および音質を適宜調整したコンテンツを出力させる。
さらに、表示装置２Ａは、この設定をサーバ装置３Ａに登録するか否かを判断する（ステップＳ９）。このステップＳ９において、登録しないと判断した場合、処理を終了する。一方、ステップＳ９において、登録すると判断した場合、修正画質音質パラメータをサーバ装置３Ａへアップロードする（ステップＳ１０）。すなわち、サーバ装置３Ａは、表示装置２Ａから送信される修正画質音質パラメータおよびパラメータ要求情報に基づいて、ユーザおよび要求コンテンツに対応するユーザパラメータ登録情報２２１Ａを更新する。【００４９】
一方、ステップＳ３における画質音質最適パラメータの取得処理では、サーバ装置３Ａは、図６に示すように、パラメータ要求情報のコンテンツ情報がＴＯＣデータか否かを判断する（ステップＳ２１）。このステップＳ２１において、ＴＯＣデータでないと判断した場合、ユーザ設定情報を取得して（ステップＳ２２）、処理を終了する。また、ステップＳ２１において、ＴＯＣデータであると判断した場合、ＴＯＣデータをコンテンツ関連情報に変換して（ステップＳ２３）、ステップＳ２２の処理を実施する。【００５０】
また、ステップＳ２２におけるユーザ設定情報の取得処理では、サーバ装置３Ａは、図７に示すように、表示装置２Ａのユーザの、すなわち本人のユーザ設定情報の取得処理を実施して（ステップＳ３１）、取得できたか否かを判断する（ステップＳ３２）。このステップＳ３２において、取得できたと判断した場合、処理を終了する。一方、ステップＳ３２において、取得できなかったと判断した場合、他人のユーザ設定情報の取得処理を実施して（ステップＳ３３）、取得できたか否かを判断する（ステップＳ３４）。
そして、ステップＳ３４において、取得できたと判断した場合、処理を終了する。一方、ステップＳ３４において、取得できなかったと判断した場合、デフォルト値をユーザ設定情報として取得して（ステップＳ３５）、処理を終了する。【００５１】
さらに、ステップＳ３１における本人のユーザ設定情報の取得処理では、図８に示すように、要求コンテンツについて過去に設定登録したことがあるか否かを判断する（ステップＳ４１）。すなわち、ユーザおよび要求コンテンツに対応するユーザパラメータ登録情報２２１Ａに、画質音質最適パラメータが記録されているか否かを判断する。
このステップＳ４１において、設定登録したことがないと判断した場合、本人のユーザ設定情報を取得せずに、処理を終了する。一方、設定登録したことがあると判断した場合、このユーザパラメータ登録情報２２１Ａの画質音質最適パラメータを本人のユーザ設定情報として取得して（ステップＳ４２）、処理を終了する。【００５２】
また、ステップＳ３３における他人のユーザ設定情報の取得処理では、図９に示すように、検索していないユーザのユーザパラメータ登録情報２２１Ａがあるか否かを判断する（ステップＳ５１）。このステップＳ５１において、全てのユーザのユーザパラメータ登録情報２２１Ａを検索したと判断した場合、他人のユーザ設定情報を取得せずに、処理を終了する。一方、ステップＳ５１において、検索してないユーザパラメータ登録情報２２１Ａがあると判断した場合、検索対象を他人のユーザパラメータ登録情報２２１Ａへ移動させて（ステップＳ５２）、この他人の使用機器、すなわち表示装置２Ａが、画質音質最適パラメータを要求するユーザの使用機器と一致するか否かを判断する（ステップＳ５３）。
そして、ステップＳ５３において、一致しないと判断した場合、ステップＳ５１に戻る。一方、ステップＳ５３において、一致すると判断した場合、要求コンテンツに関するデータ（画質音質最適パラメータ）があるか否かを判断する（ステップＳ５４）。【００５３】
このステップＳ５４において、要求コンテンツに関するデータがないと判断した場合、ステップＳ５１に戻る。また、ステップＳ５４において、要求コンテンツに関するデータがあると判断した場合、他コンテンツのデータと、画質音質最適パラメータを要求するユーザの他コンテンツのデータと、が一致するか否かを判断する（ステップＳ５５）。そして、ステップＳ５５において、一致すると判断した場合、この人の画質音質最適パラメータを他人のユーザ設定情報として取得する（ステップＳ５６）。一方、ステップＳ５５において、一致しないと判断した場合、ステップＳ５１に戻る。【００５４】
〔第１実施形態の作用効果〕
上述したように、上記第１実施形態では、コンテンツ出力システム１Ａのサーバ装置３Ａは、表示装置２Ａから送信されるパラメータ要求情報に基づいて、表示装置２Ａのユーザ名と、要求コンテンツのタイトルと、が記録されたユーザパラメータ登録情報２２１Ａを取得する。そして、このユーザパラメータ登録情報２２１Ａに、画質音質最適パラメータが記録されている場合、この画質音質最適パラメータを本人のユーザ設定情報として取得する。また、本人のユーザ設定情報を取得できない場合、他人のユーザ名と、要求コンテンツのタイトルと、が記録されたユーザパラメータ登録情報２２１Ａを検索する。さらに、この検索したユーザパラメータ登録情報２２１Ａに画質音質最適パラメータが記録されている場合、他コンテンツに関する画質音質最適パラメータと、画質音質最適パラメータを要求するユーザの他コンテンツに関する画質音質最適パラメータと、が一致するか否かを判断して、一致する場合、要求コンテンツに関する他人の画質音質最適パラメータを、他人のユーザ設定情報として取得する。そして、本人または他人のユーザ設定情報を、表示装置２Ａへ送信する。
表示装置２Ａは、ユーザ設定情報を取得すると、画質音質最適パラメータに基づいて、コントラストが調整された画質調整画像を表示手段１２０で表示させるとともに、出力レベルが調整された音質調整音声を音声出力手段１３０で出力させる。
このため、コンテンツ出力システム１Ａは、表示装置２Ａにて、サーバ装置３Ａで取得された本人の画質音質最適パラメータに基づいて、ユーザの嗜好に合う状態で画質や音質が調整された要求コンテンツを出力させることができる。また、新たなコンテンツを視聴する場合など、本人の画質音質最適パラメータがサーバ装置３Ａに存在しない場合であっても、他コンテンツの画質音質最適パラメータが略等しい、すなわち嗜好が似ている他人が設定した要求コンテンツの画質音質最適パラメータに基づく要求コンテンツを出力させることにより、ユーザに、自ら画質音質最適パラメータを設定させることなく、嗜好に合う状態で調整された要求コンテンツを視聴させることができる。
よって、複雑な操作をさせることなく嗜好に合う出力形態のコンテンツを出力させることができる。【００５５】
さらに、サーバ装置３Ａは、本人および他人のユーザ設定情報を取得できない場合、あらかじめ設定されたデフォルト値をユーザ設定情報として表示装置２Ａへ送信する。
このため、表示装置２Ａにて、ユーザ設定情報を取得できない不具合を抑制でき、快適な視聴空間を提供できる。【００５６】
また、ユーザの嗜好に合う画質で画像を表示させたり、音質で音声を出力させている。
このため、放送波を利用して送信されたり、ＤＶＤ１５１に記録された番組や映画などを、ユーザに、より楽しく鑑賞させることができる。【００５７】
そして、他人のユーザ設定情報を取得する際に、メーカおよび型式が同じ表示装置２Ａを利用する他人が設定したものを取得している。
ここで、型式が異なる表示装置２Ａを利用する他人のユーザ設定情報を取得する場合、本人および他人の表示装置２Ａで同じ画質音質最適パラメータを設定したときに、調整状態が異なってしまうおそれがある。
このため、他人のユーザ設定情報を取得した際に、利用者の嗜好に合わない状態で調整された要求コンテンツを視聴させる可能性を低減できる。【００５８】
また、サーバ装置３Ａに画質音質データベース２２０を設け、この画質音質データベース２２０のユーザパラメータ登録情報２２１Ａに基づいて、各表示装置２Ａに画質音質最適パラメータを送信している。
このため、表示装置２Ａは、サーバ装置３Ａにパラメータ要求情報を１回送信するだけで画質音質最適パラメータを取得できる。したがって、ユーザの嗜好に合う調整状態の要求コンテンツを、より迅速に出力させることができる。【００５９】
さらに、ユーザデータベース２２１のユーザパラメータ登録情報２２１Ａを、ユーザにより修正設定された修正画質音質パラメータに適宜更新する。
このため、ユーザの嗜好が変わった場合であっても、この嗜好を適切に反映した画質音質最適パラメータをサーバ装置３Ａに新たに格納することができ、利便性を向上できる。【００６０】
そして、サーバ装置３Ａにて、放送波を利用して送信されるメタデータやＥＰＧデータに基づいて、要求コンテンツを特定可能な構成としている。
このため、一般的に多く視聴されている放送番組を、ユーザの嗜好に合う状態で調整することができ、利用促進を容易に図れる。【００６１】
さらに、サーバ装置３Ａにて、ＤＶＤ１５１に記録されたＴＯＣデータに基づいて、要求コンテンツを特定可能な構成としている。
このため、録画した番組であっても、ユーザの嗜好に合う状態で調整することができ、利用促進をより容易に図れる。【００６２】
［第２実施形態］
次に、本発明に係る第２実施形態を図面に基づいて説明する。
この第２実施形態では、本発明のコンテンツ設定値情報取得装置を備えたコンテンツ出力システムであって、コンテンツのジャンル、シリーズ、タイトル、チャプタ、シーンごとに適宜異なるユーザの嗜好に応じて画質を調整する構成を例示して説明する。ここで、ジャンル、シリーズ、タイトル、チャプタに応じて音質を調整する構成としてもよい。
なお、第１実施形態と同一の構成については、同一の名称および符号を付し説明を省略または簡略にする。
図１０は、ユーザデータベースの概略構成を示す模式図である。【００６３】
〔コンテンツ出力システムの構成〕
図１において、１Ｂはコンテンツ出力システムであり、このコンテンツ出力システム１Ｂは、ネットワークＮと、少なくとも１個の表示装置２Ａと、コンテンツ設定値情報取得装置としてのサーバ装置３Ｂと、ＰＣ４と、ＥＷＳ５と、電子レンジ６と、などを備えている。【００６４】
サーバ装置３Ｂは、図３に示すように、サーバ側送受信部２１０と、出力形態登録情報格納手段としての画質音質データベース３２０と、演算手段としてのサーバ処理部３３０と、などを備えている。【００６５】
画質音質データベース３２０は、図１０に示すような少なくとも１個のユーザデータベース３２１を格納している。【００６６】
ユーザデータベース３２１は、サーバ処理部３３０により適宜更新される。
そして、ユーザデータベース３２１は、少なくとも１個の出力形態登録情報としてのユーザパラメータ登録情報３２１Ａにより構成されている。
このユーザパラメータ登録情報３２１Ａは、登録者名情報２２１Ｂと、ユーザ機器名情報２２１Ｃと、要求コンテンツ情報３２１Ｄと、画質設定値情報２２１Ｅと、などを備えている。【００６７】
要求コンテンツ情報３２１Ｄは、少なくともコンテンツのジャンルを特定する情報である。また、要求コンテンツ情報３２１Ｄは、コンテンツのカテゴリの階層構造におけるジャンルの下層に属するシリーズ、シリーズの下層に属するタイトル、タイトルの下層に属するチャプタ、チャプタの下層に属するシーンを特定する情報を適宜有している。【００６８】
サーバ処理部３３０は、各種プログラムにより構成され、図３に示すように、要求情報取得手段、コンテンツ設定値情報生成手段、および、コンテンツ設定値情報送信手段としても機能する本人情報取得処理手段および他人情報取得処理手段としてのユーザ設定情報取得部３３１と、更新手段としてのデータベース更新部３３２と、などを備えている。【００６９】
ユーザ設定情報取得部３３１は、所定のユーザおよび視聴中のコンテンツに対応する画質音質最適パラメータをユーザ設定情報として取得する。
具体的には、ユーザ設定情報取得部３３１は、パラメータ要求情報のコンテンツ情報と、ユーザ情報１６１と、機器構成情報１６２と、を取得する。さらに、コンテンツ情報に基づいて、要求コンテンツのコンテンツ関連情報を認識する。
そして、ユーザ設定情報取得部３３１は、パラメータ要求情報を送信した表示装置２Ａのユーザ本人のユーザ設定情報を取得する。
すなわち、ユーザ設定情報取得部３３１は、ユーザ情報１６１に対応し、要求コンテンツの最も下位の階層のカテゴリに関するユーザパラメータ登録情報３２１Ａを検索する。そして、この検索したユーザパラメータ登録情報３２１Ａの画質音質最適パラメータを、本人のユーザ設定情報として取得する。
例えば、「ユーザ１」の要求コンテンツのジャンル、シリーズ、タイトル、チャプタ、シーンが、それぞれ「ＳＦ」、「ＳｔａｒＷ」、「ＳｔａｒＷＩ」、「チャプタ１」、および、「シーン１」の場合、「＋４」の画質設定値を本人のユーザ設定情報として取得する。【００７０】
また、ユーザ設定情報取得部３３１は、最下層のカテゴリに関するユーザパラメータ登録情報３２１Ａに画質音質最適パラメータが記録されていない場合、１つ上位のカテゴリに関するユーザパラメータ登録情報３２１Ａの画質音質最適パラメータを、本人のユーザ設定情報として取得する。
例えば、「ユーザ１」の要求コンテンツのジャンル、シリーズ、タイトル、チャプタ、シーンが、それぞれ「ＳＦ」、「ＳｔａｒＷ」、「ＳｔａｒＷＩ」、「チャプタ２」、および、「シーン１」の場合、２番目に下位の階層の「ＳＦ」、「ＳｔａｒＷ」、「ＳｔａｒＷＩ」、「チャプタ２」に対応する「＋４」の画質設定値を本人のユーザ設定情報として取得する。
さらに、ユーザ設定情報取得部３３１は、本人のユーザ設定情報をできない場合、さらに上位のカテゴリに対応する画質音質最適パラメータを適宜取得する。【００７１】
また、ユーザ設定情報取得部３３１は、最上位のカテゴリに関するユーザパラメータ登録情報３２１Ａに画質音質最適パラメータが記録されていない場合、本人のユーザ設定情報を取得できないと判断する。そして、この本人と嗜好が似ている他人のユーザ設定情報を取得する。
すなわち、他コンテンツの画質音質最適パラメータが一致する他人のユーザパラメータ登録情報３２１Ａから、要求コンテンツの最下層のカテゴリに関する画質音質最適パラメータを、他人のユーザ設定情報として取得する。
さらに、ユーザ設定情報取得部３３１は、本人のユーザ設定情報および他人のユーザ設定情報を取得できない場合、デフォルト値をユーザ設定情報として取得する。【００７２】
データベース更新部３３２は、所定のユーザのユーザパラメータ登録情報３２１Ａを更新する。【００７３】
具体的には、データベース更新部３３２は、所定の表示装置２Ａから送信された修正画質音質パラメータと、パラメータ要求情報と、を取得して、ユーザ情報１６１に対応し、要求コンテンツの最下層のカテゴリに関するユーザパラメータ登録情報３２１Ａを検索する。そして、このユーザパラメータ登録情報３２１Ａの画質音質最適パラメータを、修正画質音質パラメータに更新する。【００７４】
〔コンテンツ出力システムの動作〕
次に、コンテンツ出力システム１Ｂの動作について説明する。
図１１は、本人のユーザ設定情報取得処理を示すフローチャートである。
なお、本人のユーザ設定情報取得処理以外の処理については、第１実施形態と同様なので、ここでは説明を簡略にする。【００７５】
コンテンツ出力システム１Ｂは、図５に示す画質音質調整処理、図６に示す画質音質最適パラメータ取得処理、図７に示すユーザ設定情報取得処理、図９に示す他人のユーザ設定情報取得処理を実施する。【００７６】
サーバ装置３Ｂは、ユーザ設定情報取得処理のステップＳ３１における本人のユーザ設定情報の取得処理では、図１１に示すように、要求コンテンツの最下層のカテゴリについて過去に設定登録したことがあるか否かを判断する（ステップＳ６１）。このステップＳ６１において、設定登録したことがあると判断した場合、この設定登録している画質音質最適パラメータを本人のユーザ設定情報として取得して（ステップＳ６２）、処理を終了する。一方、ステップＳ６１において、設定登録したことがないと判断した場合、上位のカテゴリについて過去に設定登録したことがあるか否かを判断する（ステップＳ６３）。【００７７】
そして、サーバ装置３Ｂは、ステップＳ６３において、設定登録したことがあると判断した場合、この設定登録している画質音質最適パラメータを本人のユーザ設定情報として取得して（ステップＳ６４）、処理を終了する。また、ステップＳ６３において、設定登録したことがないと判断した場合、要求コンテンツのさらに上位のカテゴリがあるか否かを判断する（ステップＳ６５）。
このステップＳ６５において、さらに上位のカテゴリがないと判断した場合、他人のユーザ設定情報を取得せずに処理を終了する。一方、ステップＳ６５において、さらに上位のカテゴリがあると判断した場合、この上位のカテゴリを検索して（ステップＳ６６）、ステップＳ６３に戻る。【００７８】
〔第２実施形態の作用効果〕
上述したように、上記第２実施形態では、第１実施形態と同様の作用効果に加え、以下のような作用効果を奏することができる。【００７９】
すなわち、ユーザパラメータ登録情報３２１Ａに、コンテンツのカテゴリを階層的に表す、ジャンル、シリーズ、タイトル、チャプタ、シーンを特定する情報を設けている。そして、最も下層のカテゴリに関するユーザパラメータ登録情報３２１Ａに画質音質最適パラメータが記録されていない場合、その上層のカテゴリに関するユーザパラメータ登録情報３２１Ａの画質音質最適パラメータを取得する。
このため、要求コンテンツの画質音質最適パラメータを従前に登録していない場合であっても、この本人に関連付けられたユーザパラメータ登録情報３２１Ａから画質音質最適パラメータを取得するので、他人の画質音質最適パラメータを取得する場合と比べて、より迅速に画質音質最適パラメータを取得することができる。したがって、ユーザの嗜好に合う調整状態の要求コンテンツを、より迅速に出力させることができる。【００８０】
また、最も下層のカテゴリに関するユーザパラメータ登録情報３２１Ａに画質音質最適パラメータが記録されていない場合、その１つ上位のカテゴリに対応するユーザパラメータ登録情報３２１Ａの画質音質最適パラメータを取得する。そして、取得できない場合、さらに１つ上位のカテゴリに対応する画質音質最適パラメータを取得する。すなわち、最も下層以外の階層がパラメータ要求情報と一致するユーザパラメータ登録情報３２１Ａのうち、パラメータ要求情報と一致する階層が最も下位のユーザパラメータ登録情報３２１Ａの画質音質最適パラメータを取得する。
このため、シーンが一致する画質音質最適パラメータを取得できない場合に、このシーンと同じチャプタの他のシーンの画質音質最適パラメータを取得することができる。したがって、シーンと同じチャプタの他のシーンの画質音質最適パラメータが存在するにもかかわらず、ジャンルが同じでシリーズが異なる画質音質最適パラメータを取得する構成と比べて、要求コンテンツの内容に合う状態で画質や音質を調整させることができる。【００８１】
［第３実施形態］
次に、本発明に係る第３実施形態を図面に基づいて説明する。
この第３実施形態では、本発明のコンテンツ設定値情報取得装置を備えたコンテンツ出力システムであって、コンテンツのジャンル、シリーズ、チャプタごとに適宜異なるユーザの嗜好に応じて画質を調整する構成を例示して説明する。具体的には、画像のコントラスト、ブライト（ブライトネス）、カラー、シャープネス、ＮＲ（Noise Reduction）、ＦＲＣ（Frame Rate Control）を調整する構成を例示して説明する。ここで、ジャンル、シリーズ、タイトル、チャプタに応じて音質を調整する構成としてもよい。
なお、第１，第２実施形態と同一の構成については、同一の名称および符号を付し説明を省略または簡略にする。
図１２は、サーバ装置の概略構成を示すブロック図である。図１３は、ユーザデータベースの概略構成を示す模式図である。図１４は、出力変換情報データベースの概略構成を示す模式図である。図１５は、登録変換情報データベースの概略構成を示す模式図である。図１６は、第１ＮＲ変換テーブルの概略構成を示す模式図である。図１７は、第２ＮＲ変換テーブルの概略構成を示す模式図である。【００８２】
〔コンテンツ出力システムの構成〕
図１において、１Ｃはコンテンツ出力システムであり、このコンテンツ出力システム１Ｃは、ネットワークＮと、少なくとも１個の出力装置としての表示装置２Ｃと、コンテンツ設定値情報取得装置としてのサーバ装置３Ｃと、ＰＣ４と、ＥＷＳ５と、電子レンジ６と、などを備えている。【００８３】
表示装置２Ｃは、図２に示すように、第１，第２実施形態の表示装置２Ａと略等しい構成を有し、自動設定部４７０の要求情報送信手段としてのパラメータ要求情報取得部４７２の構成が第１，第２実施形態と異なる。
すなわち、パラメータ要求情報取得部４７２は、例えば図示しないタイマなどの計測値に基づいて、表示装置２Ｃの累積使用時間に関する使用時間情報を取得する。そして、コンテンツ情報と、ユーザ情報１６１と、機器構成情報１６２と、使用時間情報と、をパラメータ要求情報として、ネットワークＮを介してサーバ装置３Ｃへ送信する。【００８４】
サーバ装置３Ｃは、図１２に示すように、サーバ側送受信部２１０と、出力形態登録情報格納手段、出力変換情報格納手段、および、登録変換情報格納手段としての画質音質データベース５２０と、演算手段としてのサーバ処理部５３０と、などを備えている。【００８５】
画質音質データベース５２０は、図１３に示すような少なくとも１個のユーザデータベース５２１と、図１４に示すような出力変換情報データベース５２２と、図１５に示すような登録変換情報データベース５２３と、図１６に示すような第１ＮＲ変換テーブル５２４と、図１７に示すような第２ＮＲ変換テーブル５２５と、などを格納している。【００８６】
ユーザデータベース５２１は、サーバ処理部５３０により適宜更新される。
そして、ユーザデータベース５２１は、図１３に示すように、少なくとも１個の出力形態登録情報としてのユーザパラメータ登録情報５２１Ａにより構成されている。
このユーザパラメータ登録情報５２１Ａは、登録者名情報２２１Ｂと、要求コンテンツ情報５２１Ｄと、画質変換値情報５２１Ｅと、情報登録日情報５２１Ｆと、などを備えている。【００８７】
要求コンテンツ情報５２１Ｄは、少なくともコンテンツのジャンルを特定する情報としてのシリーズ、タイトル、チャプタを特定する情報である。
画質変換値情報５２１Ｅは、表示装置２Ｃで設定されるコントラスト設定値、ブライト設定値、カラー設定値、シャープネス設定値、および、ＦＲＣ設定値を、登録変換情報データベース５２３に基づき変換したコントラスト変換値、ブライト変換値、カラー変換値、シャープネス変換値、および、ＦＲＣ変換値を表す情報である。また、画質変換値情報５２１Ｅは、表示装置２Ｃで設定されるＮＲ設定状態を第１，第２ＮＲ変換テーブル５２４，５２５に基づき変換したＮＲ変換状態を表す情報である。
情報登録日情報５２１Ｆは、ユーザパラメータ登録情報５２１Ａに各種情報を登録した日付を表す情報である。【００８８】
なお、以下において、コントラスト設定値、ブライト設定値、カラー設定値、シャープネス設定値、ＦＲＣ設定値、ＮＲ設定状態を、まとめて表現する際には、画質音質最適パラメータと適宜表現する。また、コントラスト変換値、ブライト変換値、カラー変換値、シャープネス変換値、ＦＲＣ変換値、ＮＲ変換状態を、まとめて表現する際には、画質音質変換値と適宜表現する。【００８９】
出力変換情報データベース５２２は、図１４に示すように、画質音質変換値を画質音質最適パラメータに変換するための情報が記録される少なくとも１個の出力変換情報５２２Ａにより構成されている。
この出力変換情報５２２Ａは、出力製造番号情報５２２Ｂと、出力機器名情報５２２Ｃと、出力機器使用時間情報５２２Ｄと、出力変換式情報５２２Ｅと、などを備えている。【００９０】
出力製造番号情報５２２Ｂは、表示装置２Ｃの製造番号を特定する情報である。
出力機器名情報５２２Ｃは、表示装置２Ｃのメーカおよび型式を特定する情報である。
出力機器使用時間情報５２２Ｄは、表示装置２Ｃが使用された累積時間の情報である。
出力変換式情報５２２Ｅは、コントラスト変換値、ブライト変換値、カラー変換値、シャープネス変換値、ＦＲＣ変換値を、コントラスト設定値、ブライト設定値、カラー設定値、シャープネス設定値、ＦＲＣ設定値に変換するための出力変換式に関する情報である。ここで、図１４および図１５において、例えば「Ｌ＿コントラスト」は、コントラスト設定値を意味し、「Ｓ＿コントラスト」は、コントラスト変換値を意味する。
また、出力変換式情報５２２Ｅは、ＮＲ変換状態をＮＲ設定状態に変換する際に、第１ＮＲ変換テーブル５２４または第２ＮＲ変換テーブル５２５を参照する旨の情報である。【００９１】
登録変換情報データベース５２３は、図１５に示すように、画質音質最適パラメータを画質音質変換値に変換するための情報が記録される少なくとも１個の登録変換情報５２３Ａにより構成されている。
この登録変換情報５２３Ａは、登録製造番号情報５２３Ｂと、登録機器名情報５２３Ｃと、登録機器使用時間情報５２３Ｄと、登録変換式情報５２３Ｅと、などを備えている。【００９２】
登録製造番号情報５２３Ｂ、登録機器名情報５２３Ｃ、および、登録機器使用時間情報５２３Ｄは、出力製造番号情報５２２Ｂ、出力機器名情報５２２Ｃ、および、出力機器使用時間情報５２２Ｄと同様の情報である。
登録変換式情報５２３Ｅは、コントラスト設定値、ブライト設定値、カラー設定値、シャープネス設定値、ＦＲＣ設定値を、コントラスト変換値、ブライト変換値、カラー変換値、シャープネス変換値、ＦＲＣ変換値に変換するための登録変換式に関する情報である。
また、登録変換式情報５２３Ｅは、ＮＲ設定状態をＮＲ登録状態に変換する際に、第１ＮＲ変換テーブル５２４または第２ＮＲ変換テーブル５２５を参照する旨の情報である。【００９３】
なお、出力変換式および登録変換式は、表示装置２Ｃの使用期間、すなわち表示装置２Ｃの劣化状態に応じて適宜異なるものを適用している。【００９４】
第１，第２ＮＲ変換テーブル５２４，５２５は、図１６，１７に示すように、ＮＲ設定状態およびＮＲ登録状態を互いに変換するための少なくとも１個のＮＲ変換情報５２４Ａ，５２５Ａにより構成されている。
ＮＲ変換情報５２４Ａ，５２５Ａは、ＮＲ設定状態が記録されるＮＲ設定状態情報５２４Ｂ，５２５Ｂと、ＮＲ変換状態が記録されるＮＲ変換状態情報５２４Ｃ，５２５Ｃと、などを備えている。【００９５】
サーバ処理部５３０は、各種プログラムにより構成され、図１２に示すように、要求情報取得手段としても機能する本人情報取得処理手段および他人情報取得処理手段としてのユーザ設定情報取得部５３１と、コンテンツ設定値情報生成手段およびコンテンツ設定値情報送信手段としての機器間変換処理部５３２と、更新手段としてのデータベース更新部５３３と、などを備えている。【００９６】
ユーザ設定情報取得部５３１は、所定のユーザおよび要求コンテンツに対応する画質音質変換値をユーザ設定情報として取得する。
具体的には、ユーザ設定情報取得部５３１は、パラメータ要求情報のコンテンツ情報と、ユーザ情報１６１と、機器構成情報１６２と、を取得する。さらに、コンテンツ情報に基づいて、要求コンテンツのコンテンツ関連情報を認識する。
そして、ユーザ設定情報取得部５３１は、第２実施形態のユーザ設定情報取得部３３１と同様の処理を実施して、パラメータ要求情報を送信した表示装置２Ｃに対応する画質音質変換値を、ユーザ本人のユーザ設定情報として取得する。【００９７】
また、ユーザ設定情報取得部５３１は、本人のユーザ設定情報を取得できない場合、この本人と嗜好が似ている他人のユーザ設定情報を取得する。
すなわち、ユーザ設定情報取得部５３１は、他人のユーザ名と、要求コンテンツの最下層のカテゴリの内容と、が記録されたユーザパラメータ登録情報５２１Ａを検索する。さらに、この検索したユーザパラメータ登録情報５２１Ａに画質音質変換値が記録されている場合、他コンテンツに関する画質音質変換値と、画質音質最適パラメータを要求するユーザの他コンテンツに関する画質音質変換値と、が一致するか否かを判断する。そして、一致する場合、要求コンテンツに関する他人の画質音質変換値を、他人のユーザ設定情報として取得する。
また、ユーザ設定情報取得部５３１は、本人のユーザ設定情報および他人のユーザ設定情報を取得できない場合、あらかじめ設定されたデフォルト値をユーザ設定情報として取得する。
そして、この取得したユーザ設定情報を、機器間変換処理部５３２へ出力する。【００９８】
機器間変換処理部５３２は、サーバ側送受信部２１０と、画質音質データベース５２０と、などに接続されている。
この機器間変換処理部５３２は、ユーザ設定情報に基づく画質音質変換値を画質音質最適パラメータに変換する。【００９９】
具体的には、機器間変換処理部５３２は、ユーザ設定情報取得部５３１から、ユーザ設定情報として画質音質変換値を取得する。また、サーバ側送受信部２１０を介して、パラメータ要求情報の機器構成情報１６２と、使用時間情報と、を取得する。さらに、出力変換情報データベース５２２から、機器構成情報１６２および使用時間情報に対応する内容が記録された出力変換情報５２２Ａを検索する。そして、この出力変換情報５２２Ａの出力変換式などに基づいて、画質音質変換値を画質音質最適パラメータに変換する。つまり、機器間変換処理を実施する。
そして、この画質音質最適パラメータを、ネットワークＮを介して、パラメータ要求情報に対応する表示装置２Ｃへ送信する。【０１００】
データベース更新部５３３は、所定のユーザのユーザパラメータ登録情報５２１Ａを更新する。【０１０１】
具体的には、データベース更新部５３３は、所定の表示装置２Ｃから送信された修正画質音質パラメータと、パラメータ要求情報と、を取得する。さらに、登録変換情報データベース５２３から、機器構成情報１６２および使用時間情報に対応する内容が記録された登録変換情報５２３Ａを検索する。そして、この登録変換情報５２３Ａの登録変換式に基づいて、修正画質音質パラメータを画質音質変換値に変換する。
さらに、データベース更新部５３３は、ユーザ情報１６１に対応し、要求コンテンツの最下層のカテゴリに関するユーザパラメータ登録情報５２１Ａを検索し、このユーザパラメータ登録情報５２１Ａの画質音質変換値を更新する。【０１０２】
〔コンテンツ出力システムの動作〕
次に、コンテンツ出力システム１Ｃの動作について説明する。
図１８は、画質音質最適パラメータ取得処理を示すフローチャートである。図１９は、他人のユーザ設定情報取得処理を示すフローチャートである。
なお、画質音質最適パラメータ取得処理および他人のユーザ設定情報取得処理以外の処理については、第１，第２実施形態と同様なので、ここでは説明を簡略にする。【０１０３】
コンテンツ出力システム１Ｃは、図５に示す画質音質調整処理、図７に示すユーザ設定情報取得処理、図１１に示す本人のユーザ設定情報取得処理を実施する。【０１０４】
ここで、表示装置２Ｃは、画質音質調整処理のステップＳ１，Ｓ２において、コンテンツ情報と、ユーザ情報１６１と、機器構成情報１６２と、使用時間情報と、をパラメータ要求情報として取得して、サーバ装置３Ｃへ送信する。【０１０５】
そして、サーバ装置３Ｃは、画質音質調整処理のステップＳ３における画質音質最適パラメータの取得処理では、図１８に示すように、ステップＳ２１において、ＴＯＣデータでないと判断した場合、ユーザ設定情報を取得する（ステップＳ７１）。また、ステップＳ２１において、ＴＯＣデータであると判断した場合、ステップＳ２３の処理をして、ステップＳ７１の処理を実施する。【０１０６】
そして、ステップＳ７１でユーザ設定情報を取得すると、パラメータ要求情報に対応する出力変換情報５２２Ａから出力変換式を機器間変換情報として取得する（ステップＳ７２）。そして、この出力変換式と、ユーザ設定情報である画質音質変換値などと、に基づく機器間変換処理を実施して（ステップＳ７３）、画質音質最適パラメータを取得する。【０１０７】
また、サーバ装置３Ｃは、ユーザ設定情報取得処理のステップＳ３３における他人のユーザ設定情報の取得処理では、図１９に示すように、検索していないユーザのユーザパラメータ登録情報５２１Ａがあるか否かを判断する（ステップＳ８１）。このステップＳ８１において、全てのユーザのユーザパラメータ登録情報５２１Ａを検索したと判断した場合、他人のユーザ設定情報を取得せずに、処理を終了する。一方、ステップＳ８１において、検索してないユーザパラメータ登録情報５２１Ａがあると判断した場合、検索対象を他人のユーザパラメータ登録情報５２１Ａへ移動させて（ステップＳ８２）、この他人のユーザパラメータ登録情報５２１Ａに、要求コンテンツに関するデータ（画質音質変換値）があるか否かを判断する（ステップＳ８３）。【０１０８】
このステップＳ８３において、要求コンテンツに関するデータがないと判断した場合、ステップＳ８１に戻る。また、ステップＳ８３において、要求コンテンツに関するデータがあると判断した場合、他コンテンツのデータと、画質音質最適パラメータを要求するユーザの他コンテンツのデータと、が一致するか否かを判断する（ステップＳ８４）。そして、ステップＳ８４において、一致すると判断した場合、この人の画質音質変換値を他人のユーザ設定情報として取得する（ステップ８５）。一方、ステップＳ８４において、一致しないと判断した場合、ステップＳ８１に戻る。【０１０９】
〔第３実施形態の作用効果〕
上述したように、上記第３実施形態では、第１，第２実施形態と同様の作用効果に加え、以下のような作用効果を奏することができる。【０１１０】
すなわち、サーバ装置３Ｃは、ユーザパラメータ登録情報５２１Ａから本人または他人の画質音質変換値を取得すると、表示装置２Ｃの型式に対応する出力変換情報５２２Ａの出力変換式に基づいて、画質音質変換値を画質音質最適パラメータに変換して、表示装置２Ｃへ送信する。
このため、例えば買い替えなどにより表示装置２Ｃの型式が変わったとしても、従来設定した画質音質変換値を新たな表示装置２Ｃに対応する出力変換式で変換することにより、従来と同じ状態で画質や音質が調整されたコンテンツを出力させることができる。したがって、利便性を向上できる。
また、ユーザパラメータ登録情報５２１Ａに、表示装置２Ｃの型式に関する情報を格納する必要がなくなり、ユーザパラメータ登録情報５２１Ａのデータ量を減らすことができる。【０１１１】
そして、サーバ装置３Ｃは、表示装置２Ｃから修正画質音質パラメータおよびパラメータ要求情報を取得すると、表示装置２Ｃの型式に対応する登録変換情報５２３Ａの登録変換式に基づいて、修正画質音質パラメータを画質音質変換値に変換する。そして、表示装置２Ｃのユーザに対応するユーザパラメータ登録情報５２１Ａの画質音質最適パラメータを、画質音質変換値に更新する。
このため、ユーザの嗜好が変わった場合であっても、この嗜好を適切に反映した画質音質最適パラメータをサーバ装置３Ｃに新たに格納することができ、利便性を向上できる。さらに、表示装置２Ｃの型式が異なるために、調整状態が略等しいにもかかわらず画質音質最適パラメータが異なる場合があるが、画質音質最適パラメータを画質音質変換値に変換することにより、略等しい値にすることができる。したがって、異なる型式の表示装置２Ｃを有するユーザ間での嗜好の比較を容易にできる。【０１１２】
また、出力変換式および登録変換式を、表示装置２Ｃの使用期間、すなわち表示装置２Ｃの劣化状態に応じて適宜異なるものとしている。
このため、長期間の使用による劣化により、表示手段１２０の表示状態や、音声出力手段１３０の音声出力状態が悪くなったとしても、この悪くなった状態に対応して劣化前と異なる画質音質最適パラメータを表示装置２Ｃに取得させることができる。したがって、劣化前と同じ状態で画質や音質が調整されたコンテンツを出力させることができ、利便性をより向上できる。【０１１３】
［第４実施形態］
次に、本発明に係る第４実施形態を図面に基づいて説明する。
この第４実施形態では、本発明のコンテンツ設定値情報取得装置を備えたコンテンツ出力システムであって、コンテンツのジャンル、シリーズ、チャプタごとに適宜異なるユーザの嗜好に応じて画質を調整する構成を例示して説明する。また、複数のユーザの嗜好を統計処理したデータに基づいて画質を調整する構成を例示して説明する。ここで、ジャンル、シリーズ、タイトル、チャプタに応じて音質を調整する構成としてもよい。
なお、第１〜第３実施形態と同一の構成については、同一の名称および符号を付し説明を省略または簡略にする。
図２０は、ユーザ関連情報データベースの概略構成を示す模式図である。図２１は、ユーザデータベースの概略構成を示す模式図である。図２２および図２３は、統計データベースの概略構成を示す模式図である。【０１１４】
〔コンテンツ出力システムの構成〕
図１において、１Ｄはコンテンツ出力システムであり、このコンテンツ出力システム１Ｄは、ネットワークＮと、少なくとも１個の出力装置としての表示装置２Ｄと、コンテンツ設定値情報取得装置としてのサーバ装置３Ｄと、ＰＣ４と、ＥＷＳ５と、電子レンジ６と、などを備えている。【０１１５】
表示装置２Ｄは、図２に示すように、第１〜第３実施形態の表示装置２Ａ，２Ｃと略等しい構成を有し、自動設定部６７０の要求情報送信手段としてのパラメータ要求情報取得部６７２の構成が第１〜第３実施形態と異なる。
すなわち、パラメータ要求情報取得部６７２は、ユーザの設定入力に基づいて、本人の画質音質最適パラメータ、他人の画質音質最適パラメータ、統計的に多く利用されている画質音質最適パラメータのうち、いずれかを取得する旨のパラメータ選択情報を生成する。そして、コンテンツ情報と、ユーザ情報１６１と、機器構成情報１６２と、使用時間情報と、パラメータ選択情報と、をパラメータ要求情報として、ネットワークＮを介してサーバ装置３Ｄへ送信する。【０１１６】
サーバ装置３Ｄは、図１２に示すように、サーバ側送受信部２１０と、出力形態登録情報格納手段、出力変換情報格納手段、および、登録変換情報格納手段としての画質音質データベース７２０と、演算手段としてのサーバ処理部７３０と、などを備えている。【０１１７】
画質音質データベース７２０は、図２０に示すようなユーザ関連情報データベース７２１と、図２１に示すようなユーザデータベース７２２と、図２２および図２３に示すような統計データベース７２３と、図１４に示すような出力変換情報データベース５２２と、図１５に示すような登録変換情報データベース５２３と、図１６に示すような第１ＮＲ変換テーブル５２４と、図１７に示すような第２ＮＲ変換テーブル５２５と、などを格納している。【０１１８】
ユーザ関連情報データベース７２１は、図２０に示すように、少なくとも１個のユーザ関連情報７２１Ａにより構成されている。
このユーザ関連情報７２１Ａは、ユーザ固有情報７２１Ｂと、個人評価ランキング情報７２１Ｃと、などを備えている。
ユーザ固有情報７２１Ｂには、ユーザの名称、国籍、性別、年齢など、ユーザ固有の情報が記録される。
個人評価ランキング情報７２１Ｃには、他のユーザにより画質音質変換値が採用された回数、すなわち他人から画質音質最適パラメータがダウンロードされた回数に基づくランキングが記録される。【０１１９】
ユーザデータベース７２２は、図２１に示すように、少なくとも１個の出力形態登録情報としてのユーザパラメータ登録情報７２２Ａにより構成されている。
このユーザパラメータ登録情報７２２Ａは、登録者名情報２２１Ｂと、要求コンテンツ情報５２１Ｄと、画質変換値情報５２１Ｅと、情報登録日情報５２１Ｆと、他人ダウンロード回数情報７２２Ｇと、評価情報７２２Ｈと、コンテンツ内順位情報７２２Ｉと、などを備えている。【０１２０】
他人ダウンロード回数情報７２２Ｇは、ユーザパラメータ登録情報７２２Ａに対応する画質音質変換値が他人によりダウンロードされた回数を表す情報である。
評価情報７２２Ｈは、他のユーザによる画質音質変換値に対する評価を表す情報である。
コンテンツ内順位情報７２２Ｉは、コンテンツの画質音質変換値に対する評価順位を表す情報である。この評価順位は、他人によるダウンロード回数や他人の評価に基づき設定される。【０１２１】
統計データベース７２３は、図２２および図２３に示すように、少なくとも１個の統計データ登録情報７２３Ａにより構成されている。
この統計データ登録情報７２３Ａは、要求コンテンツ情報７２３Ｂと、平均データ情報７２３Ｃと、メディアンデータ情報７２３Ｄと、ランキング１位データ情報７２３Ｅと、ランキング２位データ情報７２３Ｆと、などを備えている。なお、図２２および図２３では、平均データ情報７２３Ｃおよびメディアンデータ情報７２３Ｄと、ランキング１位データ情報７２３Ｅおよびランキング２位データ情報７２３Ｆと、が別々のデータ構造のように図示しているが、これらは１つのデータ構造として構成されている。【０１２２】
要求コンテンツ情報７２３Ｂは、ユーザデータベース７２２の要求コンテンツ情報５２１Ｄと同様の情報である。
平均データ情報７２３Ｃ、メディアンデータ情報７２３Ｄは、複数のユーザの画質音質変換値を統計処理した際の平均値、メディアン（中央値）を表す情報である。すなわち、平均データ情報７２３Ｃ、メディアンデータ情報７２３Ｄは、コントラスト変換値、ブライト変換値、カラー変換値、シャープネス変換値、ＮＲ変換状態、ＦＲＣ変換値の平均値、メディアンをそれぞれ表す。
ランキング１位データ情報７２３Ｅ、ランキング２位データ情報７２３Ｆは、複数のユーザの画質音質変換値を統計処理した際の評価順位が１位、２位の画質音質変換値を表す情報である。この評価順位は、他人によるダウンロード回数や他人の評価に基づき設定される。すなわち、ランキング１位，２位データ情報７２３Ｅ，７２３Ｆは、コントラスト変換値、ブライト変換値、カラー変換値、シャープネス変換値、ＮＲ変換状態、ＦＲＣ変換値の１位、２位の値と、この１位、２位の値を登録したユーザ名と、をそれぞれ表す情報である。【０１２３】
ここで、以下において、平均データ情報７２３Ｃおよびメディアンデータ情報７２３Ｄのデータをまとめて表現する際には、集計データと適宜表現する。また、ランキング１位，２位データ情報７２３Ｅ，７２３Ｆのデータをまとめて表現する際には、ランキングデータと適宜表現する。【０１２４】
サーバ処理部７３０は、各種プログラムにより構成され、図１２に示すように、要求情報取得手段としても機能する本人情報取得処理手段および他人情報取得処理手段としてのユーザ設定情報取得部７３１と、機器間変換処理部５３２と、更新手段としてのデータベース更新部７３３と、などを備えている。【０１２５】
ユーザ設定情報取得部７３１は、所定のユーザおよび要求コンテンツに対応する画質音質変換値をユーザ設定情報として取得する。
具体的には、ユーザ設定情報取得部７３１は、パラメータ要求情報のコンテンツ情報と、ユーザ情報１６１と、機器構成情報１６２と、パラメータ選択情報と、を取得する。さらに、コンテンツ情報に基づいて、要求コンテンツのコンテンツ関連情報を認識する。
そして、ユーザ設定情報取得部７３１は、パラメータ選択情報に基づいて、パラメータ要求情報を送信した表示装置２Ｄのユーザ本人のユーザ設定情報、他人のユーザ設定情報、統計データに基づくユーザ設定情報を取得する。【０１２６】
すなわち、ユーザ設定情報取得部７３１は、本人および他人のユーザ設定情報を取得する場合、第３実施形態のユーザ設定情報取得部５３１と同様の処理により、画質音質変換値をユーザ設定情報として取得する。【０１２７】
また、ユーザ設定情報取得部７３１は、統計データに基づくユーザ設定情報を取得する場合、要求コンテンツの最下層のカテゴリの内容が記録された統計データ登録情報７２３Ａを検索する。そして、取得するユーザ設定情報が集計データの場合、ユーザの要求に基づき平均値、または、メディアンをユーザ設定情報として取得する。
さらに、ユーザ設定情報取得部７３１は、取得するユーザ設定情報がランキングデータの場合、ユーザの要求に基づき１位、または、２位の画質音質変換値をユーザ設定情報として取得する。【０１２８】
データベース更新部７３３は、所定のユーザのユーザパラメータ登録情報７２２Ａや統計データ登録情報７２３Ａを更新する。【０１２９】
具体的には、データベース更新部７３３は、第３実施形態のデータベース更新部５３３と同様の処理により、修正画質音質パラメータに基づくユーザパラメータ登録情報７２２Ａの画質音質変換値更新処理を実施する。
また、データベース更新部７３３は、ユーザ設定情報取得部７３１で他人のユーザ設定情報が取得された場合、この他人のユーザパラメータ登録情報７２２Ａに記録された、他人からのダウンロード回数をインクリメントするとともに、このインクリメントに対応させて、統計データ登録情報７２３Ａのランキングデータをソートして、１位、２位のランキングデータを適宜更新する。
例えば、ユーザ２の画質音質変換値が他人のユーザ設定情報として取得された場合、このユーザ２の要求コンテンツに対応するユーザパラメータ登録情報７２２Ａにおける他人からのダウンロード回数をインクリメントする。【０１３０】
また、データベース更新部７３３は、ユーザ設定情報取得部７３１でランキングデータに基づくユーザ設定情報が取得された場合、このランキングデータの統計データ登録情報７２３Ａに記録されたユーザ名を認識する。そして、このユーザ名に対応するユーザパラメータ登録情報７２２Ａにおける、他人からのダウンロード回数をインクリメントするとともに、このインクリメントに対応させて、統計データ登録情報７２３Ａのランキングデータをソートする。
例えば、１位のランキングデータがユーザ設定情報として取得された場合、この１位のランキングデータの統計データ登録情報７２３Ａに記録されたユーザ名を認識し、このユーザ名および要求コンテンツに対応するユーザパラメータ登録情報７２２Ａにおける他人からのダウンロード回数をインクリメントする。【０１３１】
〔コンテンツ出力システムの動作〕
次に、コンテンツ出力システム１Ｄの動作について説明する。
図２４は、ユーザ設定情報取得処理を示すフローチャートである。図２５は、他人のユーザ設定情報取得処理を示すフローチャートである。図２６、統計データに基づくユーザ設定情報取得処理を示すフローチャートである。
なお、ユーザ設定情報取得処理、他人のユーザ設定情報取得処理、統計データに基づくユーザ設定情報取得処理以外の処理については、第３実施形態と同様なので、ここでは説明を簡略にする。【０１３２】
コンテンツ出力システム１Ｄは、図５に示す画質音質調整処理、図１８に示す画質音質最適パラメータ取得処理、図１１に示す本人のユーザ設定情報取得処理を実施する。【０１３３】
ここで、表示装置２Ｄは、画質音質調整処理のステップＳ１，Ｓ２において、コンテンツ情報と、ユーザ情報１６１と、機器構成情報１６２と、使用時間情報と、パラメータ選択情報と、をパラメータ要求情報として取得して、サーバ装置３Ｄへ送信する。【０１３４】
そして、サーバ装置３Ｄは、画質音質最適パラメータ取得処理のステップＳ７１におけるユーザ設定情報取得処理では、図２４に示すように、パラメータ選択情報に基づいて、ユーザ独自のユーザ設定情報を利用するか否かを判断する（ステップＳ９１）。このステップＳ９１において、利用すると判断した場合、本人のユーザ設定情報の取得処理を実施する（ステップＳ９２）。そして、ステップＳ９１において利用しないと判断した場合、または、ステップＳ９２でユーザ設定情報の取得処理を実施した場合、ユーザ設定情報を取得できたか否かを判断する（ステップＳ９３）。【０１３５】
このステップＳ９３において、取得できたと判断した場合、処理を終了する。一方、ステップＳ９３において、取得できていないと判断した場合、他人のユーザ設定情報を利用するか否かを判断する（ステップＳ９４）。そして、ステップＳ９４において、利用すると判断した場合、他人のユーザ設定情報の取得処理を実施する（ステップＳ９５）。そして、ステップＳ９４において利用しないと判断した場合、または、ステップＳ９５でユーザ設定情報の取得処理を実施した場合、ユーザ設定情報を取得できたか否かを判断する（ステップＳ９６）。【０１３６】
このステップＳ９６において、取得できたと判断した場合、処理を終了する。一方、ステップＳ９６において、取得できていないと判断した場合、統計データのユーザ設定情報を利用するか否かを判断する（ステップＳ９７）。そして、ステップＳ９７において、利用すると判断した場合、統計データに基づくユーザ設定情報の取得処理を実施する（ステップＳ９８）。そして、ステップＳ９７において利用しないと判断した場合、または、ステップＳ９８でユーザ設定情報の取得処理を実施した場合、ユーザ設定情報を取得できたか否かを判断する（ステップＳ９９）。
このステップＳ９９において、取得できたと判断した場合、処理を終了する。一方、ステップＳ９９において、取得できていないと判断した場合、デフォルト値をユーザ設定情報として取得して（ステップＳ１００）、処理を終了する。【０１３７】
また、サーバ装置３Ｄは、ユーザ設定情報取得処理のステップＳ９５における他人のユーザ設定情報の取得処理では、図２５に示すように、第３実施形態と同様のステップＳ８１〜Ｓ８５の処理を実施する。そして、ステップＳ８５において、画質音質変換値を他人のユーザ設定情報として取得すると、この人の他人からのダウンロード回数をインクリメントするとともに、ランキングデータをソートして（ステップＳ１１１）、処理を終了する。【０１３８】
また、サーバ装置３Ｄは、ユーザ設定情報取得処理のステップＳ９８における統計データに基づくユーザ設定情報の取得処理では、図２６に示すように、要求コンテンツに関するデータがあるか否かを判断する（ステップＳ１２１）。このステップＳ１２１において、データがないと判断した場合、処理を終了する。一方、ステップＳ１２１において、データがあると判断した場合、ランキングデータをユーザ設定情報として取得するか否かを判断する（ステップＳ１２２）。
そして、ステップＳ１２２において、集計データを取得すると判断した場合、集計データである平均値またはメディアンを、統計データに基づくユーザ設定情報として取得する（ステップＳ１２３）。また、ステップＳ１２２において、ランキングデータを取得すると判断した場合、この取得対象の１位または２位のランキングデータを登録したユーザの他人からのダウンロード回数をインクリメントするとともに、ランキングデータをソートする（ステップＳ１２４）。そして、このランキングデータを、統計データに基づくユーザ設定情報として取得する（ステップＳ１２５）。【０１３９】
〔第４実施形態の作用効果〕
上述したように、上記第４実施形態では、第１〜第３実施形態と同様の作用効果に加え、以下のような作用効果を奏することができる。【０１４０】
すなわち、サーバ装置３Ｄは、複数のユーザの画質音質変換値を統計処理して得られた値に基づく画質音質最適パラメータを、表示装置２Ｄへ送信する。
このため、表示装置２Ｄにて、本人および他人の画質音質最適パラメータを取得できない場合であっても、統計処理に基づく画質音質最適パラメータを取得することができ、画質音質最適パラメータを取得できない不具合を抑制でき、快適な視聴空間を提供できる。さらに、ユーザの画質音質最適パラメータの選択肢を広げることができる。【０１４１】
そして、サーバ装置３Ｄは、画質音質最適パラメータの平均値を表示装置２Ｄへ送信する。
このため、表示装置２Ｄにて、複数のユーザの嗜好に合う平均的な画質や音質のコンテンツを出力させることができる。【０１４２】
さらに、サーバ装置３Ｄは、画質音質最適パラメータのメディアンを表示装置２Ｄへ送信する。
ここで、平均値を送信する場合には、極端に値が異なるユーザが存在するときに全体の傾向を表してないおそれがある。これに対して、メディアンを送信する場合、極端に値が異なるものが存在するときでも、表示装置２Ｄにて、全体的な傾向として複数のユーザの嗜好の合う画質や音質のコンテンツを出力させることができる。【０１４３】
また、サーバ装置３Ｄは、評価順位が１位や２位の画質音質最適パラメータを表示装置２Ｄへ送信する。
このため、表示装置２Ｄにて、多くのユーザの嗜好に合う画質や音質のコンテンツを出力させることができる。【０１４４】
そして、サーバ装置３Ｄに統計データベース７２３を設けるとともに、この統計データベース７２３を、画質音質最適パラメータを表示装置２Ｄへ送信する毎に更新している。
このため、新たな画質音質最適パラメータの送信要求があった場合に、統計データベース７２３から取得するだけでよく、送信要求がある毎に統計処理する構成と比べて、処理負荷を低減できる。【０１４５】
［第５実施形態］
次に、本発明に係る第５実施形態を図面に基づいて説明する。
この第５実施形態では、本発明のコンテンツ設定値情報取得装置を備えたコンテンツ出力システムであって、コンテンツごとに適宜異なるユーザの嗜好に応じて画質や音質を調整する構成を例示して説明する。具体的には、画像のコントラストや音声の出力レベルを調整する構成を例示して説明する。
なお、第１〜第４実施形態と同一の構成については、同一の名称および符号を付し説明を省略または簡略にする。
図２７は、コンテンツ出力システムの概略構成を示すブロック図である。図２８は、表示装置の概略構成を示すブロック図である。図２９は、ユーザデータベースの概略構成を示す模式図である。【０１４６】
〔コンテンツ出力システムの構成〕
図２７において、１Ｅはコンテンツ出力システムであり、このコンテンツ出力システム１Ｅは、ネットワークＮと、少なくとも１個の出力装置としての表示装置２Ｅと、ＰＣ４と、ＥＷＳ５と、電子レンジ６と、などを備えている。つまり、第１〜第４実施形態のコンテンツ出力システム１Ａ〜１Ｄに設けられたサーバ装置３Ａ〜３Ｄを備えていない構成を有している。【０１４７】
表示装置２Ｅは、図２８に示すように、機器側送受信部８１０と、表示手段１２０と、音声出力手段１３０と、入力手段１４０と、ドライブ装置１５０と、メモリ８６０と、出力形態登録情報格納手段としての画質音質データベース８７０と、コンテンツ設定値情報取得装置および演算手段としての自動設定部８８０と、などを備えている。【０１４８】
機器側送受信部８１０は、ネットワークＮに接続され、他の表示装置２Ｅや、ＰＣ４、ＥＷＳ５、電子レンジ６などと各種情報の送受信を実施する。
具体的には、機器側送受信部８１０は、他の表示装置２Ｅや、ＰＣ４、ＥＷＳ５、電子レンジ６などから送信される各種情報を受信して自動設定部８８０へ適宜出力し、自動設定部８８０から取得した各種情報を他の表示装置２Ｅや、ＰＣ４、ＥＷＳ５、電子レンジ６などへ適宜送信する。【０１４９】
メモリ８６０には、機器構成情報１６２が記憶されている。【０１５０】
画質音質データベース８７０は、図２９に示すようなユーザデータベース８７１を格納している。
ユーザデータベース８７１は、自動設定部８８０により適宜更新される。
そして、ユーザデータベース８７１は、少なくとも１個の出力形態登録情報としてのユーザパラメータ登録情報８７１Ａにより構成されている。
このユーザパラメータ登録情報８７１Ａは、ユーザ機器名情報２２１Ｃと、要求コンテンツ情報２２１Ｄと、画質設定値情報２２１Ｅと、音質設定値情報２２１Ｆと、などを備えている。すなわち、このユーザパラメータ登録情報８７１Ａは、この表示装置２Ｅを有するユーザのみの情報を備え、他人の情報を備えていない構成を有している。【０１５１】
自動設定部８８０は、各種プログラムにより構成され、図２８に示すように、コンテンツ抽出部１７１と、要求情報送信手段としてのパラメータ要求情報取得部８８２と、要求情報取得手段、コンテンツ設定値情報生成手段、および、コンテンツ設定値情報送信手段としても機能する本人情報取得処理手段および他人情報取得処理手段としてのユーザ設定情報取得部８８３と、修正設定部８８４と、データベース更新部８８５と、出力形態制御手段としての映像音声制御部８８６と、などを備えている。【０１５２】
パラメータ要求情報取得部８８２は、入力手段１４０と、メモリ８６０と、ユーザ設定情報取得部８８３と、データベース更新部８８５と、などに接続されている。
このパラメータ要求情報取得部８８２は、ＴＯＣデータやＥＰＧデータに基づきコンテンツ情報を取得するとともに、メモリ８６０から機器構成情報１６２を取得する。そして、これらコンテンツ情報および機器構成情報１６２をパラメータ要求情報として、ユーザ設定情報取得部８８３へ出力する。【０１５３】
ユーザ設定情報取得部８８３は、機器側送受信部８１０と、画質音質データベース８７０と、などに接続されている。
このユーザ設定情報取得部８８３は、要求コンテンツに対応する画質音質最適パラメータをユーザ設定情報として取得する。【０１５４】
具体的には、ユーザ設定情報取得部８８３は、パラメータ要求情報取得部８８２からパラメータ要求情報を取得する。さらに、コンテンツ情報に基づき要求コンテンツに関するコンテンツ関連情報を認識する。
そして、ユーザ設定情報取得部８８３は、この表示装置２Ｅのユーザ本人のユーザ設定情報を取得する。
すなわち、ユーザ設定情報取得部８８３は、要求コンテンツのタイトルが記録されたユーザパラメータ登録情報８７１Ａを検索し、この検索したユーザパラメータ登録情報８７１Ａに画質音質最適パラメータが記録されている場合、この画質音質最適パラメータを本人のユーザ設定情報として取得する。【０１５５】
また、ユーザ設定情報取得部８８３は、本人のユーザ設定情報を取得できない場合、この本人と嗜好が似ている他人のユーザ設定情報を取得する。
すなわち、ユーザ設定情報取得部８８３は、他の表示装置２Ｅに対してユーザデータベース８７１の参照を要求する旨の参照要求情報を、ネットワークＮを介して出力する。さらに、この参照要求情報に対応して、ネットワークＮを介してユーザデータベース８７１を取得する。そして、このユーザデータベース８７１から、機器構成情報１６２の内容と、要求コンテンツのタイトルと、が記録されたユーザパラメータ登録情報８７１Ａを検索する。さらに、この検索したユーザパラメータ登録情報８７１Ａに画質音質最適パラメータが記録されている場合、この他人の他コンテンツに関する画質音質最適パラメータと、本人の他コンテンツに関する画質音質最適パラメータと、が一致するか否かを判断する。そして、一致する場合、要求コンテンツに関する他人の画質音質最適パラメータを、他人のユーザ設定情報として取得する。
さらに、ユーザ設定情報取得部８８３は、本人のユーザ設定情報および他人のユーザ設定情報を取得できない場合、あらかじめ設定されたデフォルト値をユーザ設定情報として取得する。
そして、この取得したユーザ設定情報である画質音質最適パラメータを、映像音声制御部８８６へ出力する。【０１５６】
また、ユーザ設定情報取得部８８３は、他の表示装置２Ｅから参照要求情報を取得すると、ユーザデータベース８７１を他の表示装置２Ｅへ送信する。【０１５７】
なお、ネットワークＮには、表示装置２Ｅの他に、ＰＣ４、ＥＷＳ５、電子レンジ６なども接続されている。このため、参照要求情報が表示装置２Ｅ以外の機器へ送信されると、ユーザデータベース８７１が返送されてこないので、例えば参照要求情報が送信されてから所定時間経過してもユーザデータベース８７１が返送されない場合、従前に送信した機器以外の機器へ参照要求情報を送信することが好ましい。【０１５８】
修正設定部８８４は、機器側送受信部８１０と、入力手段１４０と、データベース更新部８８５と、映像音声制御部８８６と、などに接続されている。
この修正設定部８８４は、入力手段１４０による入力操作に基づいて、ユーザにより修正設定された修正画質音質パラメータを映像音声制御部８８６へ出力する。さらに、この修正画質音質パラメータをユーザデータベース８７１に登録することを認識すると、修正画質音質パラメータをデータベース更新部８８５へ出力するとともに、パラメータ要求情報取得部８８２を制御して、パラメータ要求情報をデータベース更新部８８５へ出力させる。【０１５９】
データベース更新部８８５は、画質音質データベース８７０などに接続されている。
このデータベース更新部８８５は、ユーザパラメータ登録情報８７１Ａを更新する。
具体的には、データベース更新部８８５は、修正画質音質パラメータと、パラメータ要求情報と、を取得すると、要求コンテンツのタイトルが記録されたユーザパラメータ登録情報８７１Ａを検索する。そして、この検索したユーザパラメータ登録情報８７１Ａの画質音質最適パラメータを、修正画質音質パラメータにそれぞれ更新する。【０１６０】
映像音声制御部８８６は、表示手段１２０と、音声出力手段１３０と、などに接続されている。
この映像音声制御部８８６は、コンテンツ抽出部１７１からコンテンツデータを取得するとともに、ユーザ設定情報取得部８８３からユーザ設定情報である画質音質最適パラメータを取得する。そして、この画質音質最適パラメータに基づいて、コントラストが調整された画質調整画像を表示手段１２０で表示させたり、音声の出力レベルが調整された音質調整音声を音声出力手段１３０で出力させたりする制御をする。
また、映像音声制御部８８６は、修正設定部８８４から修正画質音質パラメータを適宜取得して、これに基づき修正設定された画質調整画像の表示制御や、音質調整音声の出力制御をする。【０１６１】
〔コンテンツ出力システムの動作〕
次に、コンテンツ出力システム１Ｅの動作について説明する。
図３０は、他人のユーザ設定情報取得処理を示すフローチャートである。
なお、他人のユーザ設定情報取得処理以外の処理については、第１実施形態と同様なので、ここでは説明を簡略にする。【０１６２】
コンテンツ出力システム１Ｅは、図５に示す画質音質調整処理、図６に示す画質音質最適パラメータ取得処理、図７に示すユーザ設定情報取得処理、図８に示す本人のユーザ設定情報取得処理を実施する。【０１６３】
ここで、表示装置２Ｅのパラメータ要求情報取得部８８２は、画質音質調整処理のステップＳ１，Ｓ２では、コンテンツ情報および機器構成情報１６２をパラメータ要求情報として取得して、ユーザ設定情報取得部８８３へ送信する。また、ステップＳ４では、ユーザ設定情報取得部８８３は、ユーザ設定情報である画質音質最適パラメータを、映像音声制御部８８６へ出力する。さらに、ステップＳ１０では、修正画質音質パラメータを画質音質データベース８７０にアップロードする。【０１６４】
そして、表示装置２Ｅは、ユーザ設定情報取得処理のステップＳ３３における他人のユーザ設定情報取得処理では、図３０に示すように、検索していないユーザのユーザデータベース８７１があるか否かを判断する（ステップＳ１３１）。このステップＳ１３１において、全てのユーザのユーザデータベース８７１を検索したと判断した場合、他人のユーザ設定情報を取得せずに、処理を終了する。一方、ステップＳ１３１において、検索してないユーザデータベース８７１があると判断した場合、検索対象を他人のユーザデータベース８７１へ移動させて（ステップＳ１３２）、要求コンテンツに関するデータがあるか否かを判断する（ステップＳ１３３）。
このステップＳ１３３において、ないと判断した場合、ステップＳ１３１に戻る。一方、ステップＳ１３３において、あると判断した場合、この他人の使用機器、すなわち表示装置２Ｅが、画質音質最適パラメータを要求するユーザの使用機器と一致するか否かを判断する（ステップＳ１３４）。【０１６５】
そして、ステップＳ１３４において、一致しないと判断した場合、ステップＳ１３１に戻る。一方、ステップＳ１３４において、一致すると判断した場合、他コンテンツのデータと、画質音質最適パラメータを要求するユーザの他コンテンツのデータと、が一致するか否かを判断する（ステップＳ５５）。そして、ステップＳ５５において、一致すると判断した場合、この人の画質音質最適パラメータを他人のユーザ設定情報として取得する（ステップＳ５６）。一方、ステップＳ５５において、一致しないと判断した場合、ステップＳ１３１に戻る。【０１６６】
〔第５実施形態の作用効果〕
上述したように、上記第５実施形態では、第１〜第４実施形態と同様の作用効果に加え、以下のような作用効果を奏することができる。【０１６７】
すなわち、コンテンツ出力システム１Ｅにサーバ装置を設けずに、ユーザデータベース８７１を各表示装置２Ｅに設ける構成としている。さらに、ユーザデータベース８７１に、この表示装置２Ｅのユーザのみに関するユーザパラメータ登録情報８７１Ａを格納している。そして、本人の画質音質最適パラメータを取得する場合には、表示装置２Ｅのユーザデータベース８７１から取得し、他人の画質音質最適パラメータを取得する場合には、他の表示装置２Ｅのユーザデータベース８７１から取得する。
このため、サーバ装置を設けないので、システム構築への投資を最小限に抑えることができる。また、ユーザパラメータ登録情報８７１Ａに、ユーザに関する表示装置２Ｃの型式に関する情報を格納する必要がなくなり、ユーザパラメータ登録情報８７１Ａのデータ量を減らすことができる。【０１６８】
［実施形態の変形］
なお、本発明は、上述した第１〜第５実施形態に限定されるものではなく、本発明の目的を達成できる範囲で以下に示される変形をも含むものである。【０１６９】
すなわち、第２〜第４実施形態において、最も下層のカテゴリに関するユーザパラメータ登録情報３２１Ａ，５２１Ａ，７２２Ａに画質音質最適パラメータが記録されていない場合、その１つ上位のカテゴリではなく、２つ上位のカテゴリあるいは最上位のカテゴリに対応するユーザパラメータ登録情報３２１Ａ，５２１Ａ，７２２Ａの画質音質最適パラメータを取得してもよい。【０１７０】
また、第１〜第５実施形態において、デフォルト値をユーザ設定情報として取得する機能を設けなくてもよい。【０１７１】
そして、第１，第２，第５実施形態において、例えばコンテンツ出力システム１Ａ，１Ｂ，１Ｅの表示装置２Ａ，２Ｅが全て同じ型式である場合に、他人のユーザ設定情報の取得の際に、本人と同じ型式の表示装置２Ａ，２Ｅか否かを判断しなくてもよい。このような構成にすれば、ユーザ設定情報取得処理時の処理負荷を低減できる。【０１７２】
また、第１〜第５実施形態において、ユーザパラメータ登録情報２２１Ａ，３２１Ａ，５２１Ａ，７２２Ａ，８７１Ａを、一度登録したら更新不可能な構成としてもよい。【０１７３】
さらに、第３，第４実施形態において、出力変換式および登録変換式を、表示装置２Ｃの使用期間によらず同じものとしてもよい。【０１７４】
そして、第５実施形態において、表示装置２Ｅの画質音質データベース８７０に、第２実施形態と同様のユーザデータベース３２１を格納する。さらに、ユーザデータベース３２１に、この表示装置２Ｅのユーザのみに関するユーザパラメータ登録情報３２１Ａを格納して、第２実施形態と同様の処理により、コンテンツの内容の階層に応じて、本人のユーザ設定情報を取得する構成としてもよい。【０１７５】
また、第４実施形態において、統計データ登録情報７２３Ａの内容を、表示装置２Ｄで確認可能にする構成としてもよい。
さらには、第１〜第４実施形態において、サーバ装置３Ａ〜３Ｄの画質音質データベース２２０，３２０，５２０，７２０に、有名評論家などのパラメータを格納し、課金するなどして表示装置２Ａ〜２Ｄに適宜送信する構成としてもよい。このような構成の場合、ユーザでは調整できないような画質や音質でコンテンツを視聴できる。【０１７６】
さらに、本発明のコンテンツ出力システムを、ＢＤ(Blu-ray Disc)、ＨＤ  ＤＶＤ（High Definition DVD）などの記録媒体を用いてコンテンツの記録や再生をする構成に適用してもよい。そして、ラジオ装置や楽曲再生装置など、画像を表示しない構成に適用してもよい。さらには、画像のビューアなど、音声を出力しない構成に適用してもよい。【０１７７】
また、上述した各機能をプログラムとして構築したが、例えば回路基板などのハードウェアあるいは１つのＩＣ（Integrated Circuit）などの素子にて構成するなどしてもよく、いずれの形態としても利用できる。なお、いわゆるフォトレタッチソフトとしてプログラムや別途記録媒体から読み取らせる構成とすることにより、上述したように取扱が容易で、利用の拡大が容易に図れる。【０１７８】
その他、本発明の実施の際の具体的な構造および手順は、本発明の目的を達成できる範囲で他の構造などに適宜変更できる。【０１７９】
［実施形態の効果］
上述したように、上記実施形態では、コンテンツ出力システム１Ａのサーバ装置３Ａは、表示装置２Ａからのパラメータ要求情報に基づいて、表示装置２Ａのユーザ名と、要求コンテンツのタイトルと、が記録されたユーザパラメータ登録情報を取得して、画質音質最適パラメータが記録されている場合、この画質音質最適パラメータを本人のユーザ設定情報として取得する。また、本人のユーザ設定情報を取得できない場合、他人のユーザ名と、要求コンテンツのタイトルと、が記録されたユーザパラメータ登録情報を検索し、このユーザパラメータ登録情報に画質音質最適パラメータが記録され、かつ、他コンテンツに関する画質音質最適パラメータと、画質音質最適パラメータを要求するユーザの他コンテンツに関する画質音質最適パラメータと、が一致する場合、要求コンテンツに関する他人の画質音質最適パラメータを、他人のユーザ設定情報として取得する。そして、本人または他人のユーザ設定情報を、表示装置２Ａへ送信する。
このため、サーバ装置３Ａは、表示装置２Ａにて、本人の画質音質最適パラメータに基づいて、ユーザの嗜好に合う状態で画質や音質が調整された要求コンテンツを出力させることができる。また、新たなコンテンツを視聴する場合など、本人の画質音質最適パラメータがサーバ装置３Ａに存在しない場合であっても、他コンテンツの画質音質最適パラメータが略等しい、すなわち嗜好が似ている他人が設定した要求コンテンツの画質音質最適パラメータに基づく要求コンテンツを出力させることにより、ユーザに、自ら画質音質最適パラメータを設定させることなく、嗜好に合う状態で調整された要求コンテンツを視聴させることができる。
よって、サーバ装置３Ａは、複雑な操作をさせることなく嗜好に合う出力形態のコンテンツを出力させることができる。
【産業上の利用可能性】
【０１８０】
本発明は、コンテンツデータに基づき出力手段で出力されるコンテンツの出力形態を表すコンテンツ設定値に関するコンテンツ設定値情報を取得して、出力形態を制御する出力形態制御手段へ送信するコンテンツ設定値情報取得装置、コンテンツ出力システム、コンテンツ設定値情報取得方法、そのプログラム、および、そのプログラムを記録した記録媒体として利用できる。
【図１】
2008117442.tif 000003
【図２】
2008117442.tif 000004
【図３】
2008117442.tif 000005
【図４】
2008117442.tif 000006
【図５】
2008117442.tif 000007
【図６】
2008117442.tif 000008
【図７】
2008117442.tif 000009
【図８】
2008117442.tif 000010
【図９】
2008117442.tif 000011
【図１０】
2008117442.tif 000012
【図１１】
2008117442.tif 000013
【図１２】
2008117442.tif 000014
【図１３】
2008117442.tif 000015
【図１４】
2008117442.tif 000016
【図１５】
2008117442.tif 000017
【図１６】
2008117442.tif 000018
【図１７】
2008117442.tif 000019
【図１８】
2008117442.tif 000020
【図１９】
2008117442.tif 000021
【図２０】
2008117442.tif 000022
【図２１】
2008117442.tif 000023
【図２２】
2008117442.tif 000024
【図２３】
2008117442.tif 000025
【図２４】
2008117442.tif 000026
【図２５】
2008117442.tif 000027
【図２６】
2008117442.tif 000028
【図２７】
2008117442.tif 000029
【図２８】
2008117442.tif 000030
【図２９】
2008117442.tif 000031
【図３０】
2008117442.tif 000032
【国際調査報告】
2008117442.tif 000033
2008117442.tif 000034
2008117442.tif 000035
2008117442.tif 000036